(57)【要約】間接通信システム及び間接通信方法においては、発信機器（１００）又は受信機器（１０２）を含み、そのいずれかはモバイルフォンである。モバイルフォンは他の機器を発呼し、これから行う通信の設定をし、ボイスオーバインターネットプロトコル（ＶｏＩＰ）を用いてインターネット（１１４）上の他の機器と通信を行う。受信機器（１０２）は、生成された信号を受信し、発信機器により提案された通信が、受信機器に通知される。サーバ（１０８）は、発信機器がサーバへの接続を確立した後に、ミーティングポイントチャネルを設定する。サーバは、発信機器からの発信ＶｏＩＰパケットを受信し、受信機器へ発信ＶｏＩＰパケットを転送する。
2010502076.tif 000002
【特許請求の範囲】
【請求項１】
発信機器からの情報に応じて通信が見込まれることを受信機器に通知する通知器と、
前記情報に応じてミーティングポイントチャネルを形成するミーティングポイント生成器と、
前記発信機器からパケットを受信し前記受信機器へ前記パケットを転送するミーティングポイントチャネルと
を備える間接通信システム。
【請求項２】
前記受信機器は、ハンドセット、電話機、ゲートウェイ、ベースステーション、サーバ、携帯電話の基地局、トランシーバ又はコンピュータである請求項１に記載の間接通信システム。
【請求項３】
前記発信機器は、ハンドセット、電話機、ゲートウェイ、ベースステーション、サーバ、携帯電話の基地局、トランシーバ又はコンピュータである請求項１または請求項２に記載の間接通信システム。
【請求項４】
前記ミーティングポイントチャネルは、サーバ、コンピュータ、ベースステーション、ハンドセット、ボイスオーバインターネットプロトコルハンドセット、ボイスオーバインターネットプロトコル制御器、交換機又は専用のブラックボックス機器及び周辺機器の内部に生成される請求項１から３のいずれかに記載の間接通信システム。
【請求項５】
前記ミーティングポイントチャネルは、ボイスオーバインターネットプロトコルの制御と管理の配列を備え多数の通信を同時に処理する前記請求項のいずれかに記載の間接通信システム。
【請求項６】
前記通知器は、マルチトーンの着信トーンを生成する前記請求項のいずれかに記載の間接通信システム。
【請求項７】
前記通知器は、サーバに備えられている前記請求項のいずれかに記載の間接通信システム。
【請求項８】
前記通知器は、発信機器に備えられている請求項１から６のいずれかに記載の間接通信システム。
【請求項９】
前記ミーティングポイントチャネルのアドレスは、受信機器の識別番号及び前記ミーティングポイント生成器のインターネットプロトコルアドレス又はドメインネームシステム名を有する前記請求項のいずれかに記載の間接通信システム。
【請求項１０】
前記受信機器が前記通信を受け入れるならば、前記受信機器は前記ミーティングポイントチャネルに接続する前記請求項のいずれかに記載の間接通信システム。
【請求項１１】
前記受信機器が前記通信を拒否するならば、前記受信機器は前記ミーティングポイントチャネルへ拒否メッセージを送信し、前記ミーティングポイントチャネルは前記拒否メッセージを前記発信機器へ中継する前記請求項のいずれかに記載の間接通信システム。
【請求項１２】
前記受信機器が別のミーティングポイントチャネルを提案するならば、前記受信機器は前記別のミーティングポイントチャネルに接続する前記請求項のいずれかに記載の間接通信システム。
【請求項１３】
前記受信されるパケットは、ボイスオーバインターネットプロトコル、インターネットプロトコル及びユーザデータグラムプロトコルからなる群から選択されるフォーマットでフォーマットされている前記請求項のいずれかに記載の間接通信システム。
【請求項１４】
前記転送は、それぞれのパケットヘッダのアドレスを、前記ミーティングポイントチャネルから前記受信機器のアドレスに変えることを有する前記請求項のいずれかに記載の間接通信システム。
【請求項１５】
前記通信は、音声、インターネットテレビ、映画、ビデオ会議、静止画又は動画を有する前記請求項のいずれかに記載の間接通信システム。
【請求項１６】
複数の受信機器をさらに備え、発信機器から受信されるパケットそれぞれは前記ミーティングポイントチャネルにて複数回コピーされ、前記コピーされたパケットのそれぞれは、前記複数の受信機器の一に転送される前記請求項のいずれかに記載の間接通信システム。
【請求項１７】
前記発信機器は、第１のネットワークで動作し、前記受信機器は、第２のネットワークで動作し、前記第２のネットワークは前記第１のネットワークと互換性を有さず、前記通知器は前記第１のネットワークの情報を含む前記請求項のいずれかに記載の間接通信システム。
【請求項１８】
発信機器からの情報に応じて通信が見込まれることを受信機器へ通知し、
前記情報に応じてミーティングポイントチャネルを形成し、
前記ミーティングポイントチャネルにて前記発信機器からのパケットを受信し、
前記ミーティングポイントチャネルにて前記受信機器へ前記パケットを転送する間接通信方法。
【請求項１９】
さらに、前記ミーティングポイントチャネルにて発信機器から受信されるパケットそれぞれを複数回コピーし、
複数の受信機器の一へコピーされたパケットのそれぞれを転送する請求項１８に記載の間接通信方法。
【請求項２０】
前記受信機器は、ハンドセット、電話機、ゲートウェイ、ベースステーション、サーバ、携帯電話の基地局、トランシーバ又はコンピュータである請求項１８又は請求項１９に記載の間接通信方法。
【請求項２１】
前記発信機器は、ハンドセット、電話機、ゲートウェイ、ベースステーション、サーバ、携帯電話の基地局、トランシーバ又はコンピュータである請求項１８から２０のいずれかに記載の間接通信方法。
【請求項２２】
前記ミーティングポイントチャネルは、サーバ、コンピュータ、ベースステーション、ハンドセット、ボイスオーバインターネットプロトコルハンドセット、ボイスオーバインターネットプロトコル制御器、交換機又は専用のブラックボックス機器及び周辺機器に生成される請求項１８から２１のいずれかに記載の間接通信方法。
【請求項２３】
前記ミーティングポイントチャネルは、ボイスオーバインターネットプロトコルの制御及び管理マトリックスを備え多数の呼を同時に処理する請求項１８から２２のいずれかに記載の間接通信方法。
【請求項２４】
前記通知においてマルチトーンの着信トーンを生成する請求項１８から２３のいずれかに記載の間接通信方法。
【請求項２５】
前記通知は、サーバから行われる請求項１８から２４のいずれかに記載の間接通信方法。
【請求項２６】
前記通知は、発信機器から行われる請求項１８から２４のいずれかに記載の間接通信方法。
【請求項２７】
前記ミーティングポイントチャネルのアドレスは、前記受信機器の識別番号と前記ミーティングポイント生成器のインターネットプロトコルのアドレス又はドメインネームシステム名とを有する請求項１８から２６のいずれかに記載の間接通信方法。
【請求項２８】
前記受信機器が前記通信を受け入れるならば、前記受信機器は前記ミーティングポイントチャネルに接続する請求項１８から２７のいずれかに記載の間接通信方法。
【請求項２９】
前記受信機器が前記通信を拒否するならば、前記受信機器は、前記ミーティングポイントチャネルへ拒否メッセージを送信し、前記ミーティングポイントチャネルは前記発信機器へ前記拒否メッセージを中継する請求項１８から２８のいずれかに記載の間接通信方法。
【請求項３０】
前記受信機器が別のミーティングポイントチャネルを提案するならば、前記受信機器は、前記別のミーティングポイントチャネルに接続する請求項１８から２９のいずれかに記載の間接通信方法。
【請求項３１】
前記受信されるパケットは、ボイスオーバインターネットプロトコル、インターネットプロトコル及びユーザデータグラムプロトコルからなる群から選択されるフォーマットでとーマットされている請求項１８から３０のいずれかに記載の間接通信方法。
【請求項３２】
前記転送は、それぞれのパケットヘッダのアドレスを、前記ミーティングポイントチャネルから前記受信機器のアドレスに変えることを有する請求項１８から３０のいずれかに記載の間接通信方法。
【請求項３３】
前記発信機器のネットワークの前記受信機器に通知し、
前記受信機器にて前記発信機器のネットワークに関連付けられているソフトウェアをアクティベートする請求項１８から３２のいずれかに記載の間接通信方法。
【請求項３４】
発信機器からの情報に応じて受信機器に通信が見込まれることを通知する手段と、
前記情報に応じてミーティングポイントチャネルを形成する手段と、
前記ミーティングポイントチャネルにて前記発信機器からパケットを受信する手段と、
前記ミーティングポイントチャネルにて前記受信機器へ前記パケットを転送する手段と
を備える間接通信システム。
【請求項３５】
受信機器へ通知信号を送信し通信を終了する送信器を備え、ここに前記通知信号は前記受信機器に通信が見込まれることを通知し、また、前記受信機器へ前記通知信号を送信した結果としてサーバより通信信号を受信する接続器を備える電話機器。
【請求項３６】
発信機器から通知信号を受信する受信器と、
前記発信機器からの前記通知信号に応じてサーバへ通信信号を送信する接続器とを備え、
前記通信信号は、見込まれる通信を受け入れ、前記見込まれる通信を拒否し又は前記見込まれる通信のために別のミーティングポイントロケーションを合意する情報を伝送する電話機器。
【請求項３７】
発信機器からの情報を受信した後、２つの着信トーン信号を伝達する生成器と、
前記２つの着信トーン信号を複数の受信機器に送信する送信器とを備え、前記２つの着信トーン信号は、前記受信機器に通信が見込まれることを通知し、前記受信機器へミーティングポイントチャネルのアドレスを送信し、
また、ミーティングポイントサーバ内に、前記発信機器が前記サーバに接続を確立した後、ミーティングポイントチャネルを生成するミーティングポイント生成器とを備え、前記ミーティングポイントチャネルのアドレスは、前記受信機器の電話番号及び前記サーバのアドレスであり、
また、パケットヘッダにより特定される発信ボイスオーバインターネットプロトコルパケットに取り込まれた音声データを、前記ミーティングポイントチャネルにて、受信し、前記発信ボイスオーバインターネットプロトコルパケットのそれぞれのコピーを複数の受信機器へ転送する際、前記パケットヘッダのあて先アドレスを前記受信機器の一のアドレスに変え、前記パケットヘッダの送信元アドレスを前記サーバのアドレスに変える転送器を備える間接通信システム。
【請求項３８】
発信機器からの情報受信した後、２つの着信トーン信号を送信し、
複数の受信機器へ前記２つの着信トーン信号を送信し、
ミーティングポイントチャネルにて、前記発信機器が前記サーバへの接続を確立した後、ミーティングポイントチャネルを生成し、
パケットヘッダにより特定される発信ボイスオーバインターネットプロトコルパケットに取り込まれた音声データを、前記ミーティングポイントチャネルにて、受信し、
前記発信ボイスオーバインターネットプロトコルパケットのそれぞれのコピーを複数の受信機器へ転送する際、前記パケットヘッダのあて先アドレスを前記受信機器の一のアドレスに変え、前記パケットヘッダの送信元アドレスを前記サーバのアドレスに変える間接通信方法。
【請求項３９】
発信機器から情報を受信した後、２つの着信トーン信号を伝達する生成器と、
複数の受信機器へ前記２つの着信トーン信号を送信する送信器とを備え、前記２つの着信トーン信号は、通信が見込まれることを前記受信機器へ通知しミーティングポイントチャネルのアドレスを送信するものであり、
また、ミーティングポイントサーバ内に、前記発信機器が前記サーバに接続を確立した後、前記ミーティングポイントチャネルを生成するミーティングポイント生成器とを備え、前記ミーティングポイントチャネルは、前記受信機器の電話番号及び前記サーバのアドレスであり、前記発信機器は、パケットヘッダにより特定される発信ボイスオーバインターネットプロトコルパケットに取り込まれた音声データを転送器に送信し、前記パケットヘッダは、前記サーバのあて先アドレス及び前記発信機器の送信元アドレスを有し、
また、前記複数の受信機器のそれぞれに前記発信ボイスオーバインターネットプロトコルパケットのそれぞれのコピーを転送する際、前記パケットヘッダのあて先アドレスを前記受信機器の一のアドレスに変え前記パケットの送信元アドレスを前記サーバのアドレスに変える転送器を備える間接通信システム。
【請求項４０】
発信機器から情報を受信した後に、２つの着信トーン信号を転送し、
複数の受信機器に前記２つの着信トーン信号を送信し、
ミーティングポイントサーバ内に、前記発信機器が前記ミーティングポイントサーバとの接続を確立した後、ミーティングポイントチャネルを生成し、
発信機器から、ミーティングポイントチャネル内の転送器へ、パケットヘッダにより特定される発信ボイスオーバインターネットプロトコルパケットに取り込まれた音声データを送信し、ここにパケットヘッダは、前記サーバのあて先アドレス及び前記発信機器の送信元アドレスを有しており、
前記ミーティングポイントチャネル内にて、前記複数の受信機器のそれぞれに前記発信ボイスオーバインターネットプロトコルパケットのそれぞれのコピーを転送する際、前記パケットヘッダのあて先アドレスを前記受信機器の一のアドレスに変え前記パケットの送信元アドレスを前記サーバのアドレスに変える間接通信方法。
【請求項４１】
受信機器へ通知信号を送信し通信を終了する送信部を備え、前記通知信号は通信が見込まれることを前記受信機器に通知し、また、前記受信機器へ前記通知信号を送信した結果としてサーバから通信信号を受信可能な接続器を備える電話機器。
【請求項４２】
発信機器から通知信号を受信する受信器と、
前記発信機器からの前記通知信号に応じてサーバへ通信信号を送信可能な接続器を備え、
前記通信信号は、見込まれる通信を受け入れ、前記見込まれる通信を拒否し又は前記見込まれる通信のための別のミーティングポイントロケーションを合意する情報を伝達する電話機器。
【請求項４３】
発信機器及び受信機器を備え、前記受信機器は番号を有し、また、
前記発信機器から前記受信機器の番号へ伝わる信号と、
前記受信機器の番号により特定されるミーティングポイントチャネルとを備え、
前記受信機器は、前記発信機器からの信号に応じて、前記受信機器の番号により特定されるミーティングポイントチャネルを呼び出し、
前記発信機器は、前記受信機器の番号により特定されるミーティングポイントチャネルを呼び出し、
前記ミーティングポイントチャネルにて前記発信機器から受信されるパケットは、前記ミーティングポイントチャネルにて前記受信機器へ転送される間接通信システム。
【請求項４４】
発信機器及び受信機器を備え、前記受信機器は番号又は名前を有し、また、
前記発信機器から前記受信機器の番号又は名前へ伝わる信号と、
サーバの内部で生成されるミーティングポイントチャネルとを備え、
前記ミーティングポイントチャネルは、前記受信機器の番号又は名前により特定され、前記ミーティングポイントチャネルは、前記発信機器からの信号に反応し、また前記ミーティングポイントチャネルは、受信機器の番号又は名前により特定される呼び出しに反応し、
前記発信機器は、前記受信機器の番号又は名前により特定されるミーティングポイントチャネルを呼び出し、
前記ミーティングポイントチャネルにて前記発信機器から受信されるパケットは、前記ミーティングポイントチャネルにて前記受信機器へ転送される間接通信システム。
【請求項４５】
前記受信機器の番号又は名前は、番号そのもの、プレフィックスを有する番号、サフィックスを有する番号、番号と関連付けられた名前、ＩＰアドレス、置換名又は上記列挙された要素の結合の少なくとも一つから選択されている請求項４４に記載の間接通信システム。
【請求項４６】
前記受信機器の番号により特定される前記ミーティングポイントチャネルは、所有及び管理の作業のために前記受信機器により所有されている請求項４４に記載の間接通信システム。
【請求項４７】
発信機器及び受信機器を備え、
前記受信機器は、番号又は名前を有し、前記発信機器はサーバへ接続し、信号が前記サーバから前記受信機器の番号又は名前に伝わり、
また、前記サーバの内部に生成されたミーティングポイントチャネルを備え、前記ミーティングポイントチャネルは、前記受信機器の番号により特定され、
前記受信機器は、前記受信機器の番号により特定されるミーティングポイントチャネルに転送された後、前記受信機器を待ち、
前記受信機器は、前記サーバからの信号に応じて、前記受信機器の番号又は名前により特定されるミーティングポイントチャネルを呼び出し、
前記ミーティングポイントチャネルにて前記発信機器から受信されるパケットは、前記ミーティングポイントチャネルにて前記受信機器へ転送される間接通信システム。
【請求項４８】
発信機器から受信機器へ信号を送信し、
前記受信機器にて、前記受信機器の番号により特定されるミーティングポイントチャネルを呼び出すことにより前記発信機器からの信号に応答し、
前記発信機器にて、前記受信機器の番号により特定されるミーティングポイントチャネルを呼び出し、
前記ミーティングポイントチャネルにて前記発信機器からのパケットを受信し、
前記ミーティングポイントチャネルにて前記受信機器へ前記パケットを転送する間接通信方法。
【請求項４９】
発信機器にてサーバに接続し、
前記サーバから受信機器へ信号を送信し、
受信機器の番号により特定されるミーティングポイントチャネルへ前記受信機器を転送し、
前記受信機器にて前記受信機器の番号により特定されるミーティングポイントチャネルを呼び出すことにより、前記サーバからの信号に応答する間接通信方法。
【発明の詳細な説明】
【技術分野】
【０００１】
本発明は、無線媒体及びボイスオーバインターネットプロトコル（ＶｏＩＰ）を用いるモバイルフォンを使用して、比較的低コストであり高い品質の通話をし、また、受けることができる機器及び方法に一般的に関する。
【背景技術】
【０００２】
モバイルフォンを用いる通話は、接続が確立し、通知子又は着信トーンを送信したのと同じチャネルで行われる。したがって、料金は、チャネルを維持するのに必要となり、また、通知子又は着信トーンの通信時間から生じる。また、モバイルフォンの通信品質は、無線及びＶｏＩＰ通信の変動により影響を受ける。
【発明の開示】
【発明が解決しようとする課題】
【０００３】
本発明の第１の目的は、モバイルフォンに関する間接通信システム及びその方法を提供することにより、上述した関連技術の問題を解決することである。本発明のさらなる目的は、モバイルフォンの利用者に低コストであり比較的高品質の通話を提供することである。
【課題を解決するための手段】
【０００４】
一実施形態においては、ＷｉＭＡＸなどのプロトコルを使用することにより、無線通信のために使用されている無線周波数（ＲＦ）を、国際コミュニティを通じて互換性を有するようにする。この実施形態においては、一台のモバイルフォンを、どの国においても使用することができる。インターネット及び特にボイスオーバインターネットプロトコル（ＶｏＩＰ）は、世界中のモバイルの利用者に送受信の確立し標準化された一体化された環境を提供する。したがって、間接通信システムは、世界的な規模で低コストのモバイルフォンを提供するために使用することができる。
【０００５】
間接通信システムの一側面において、短い（１つか２つの）着信トーン等の独立した信号が受信機器へ送信され、ここに受信機器はモバイルフォンであってもよい。この独立した信号は、ボイスオーバインターネットプロトコルを使用できる誰かがインターネットのどこかの「ミーティングポイント」で待っていることを、受信機器に知らせる。そして受信機器は、インターネットに接続し、合意されたミーティングポイントに行き、会話を行うことができる。
【０００６】
間接通信システムの一側面において、発信機器は短い信号を受信機器へ送信し、ここに発信機器はモバイルフォンであってもよく、また、短い信号は、１つ又は２つの着信トーン信号である。着信トーンを送信した後、発信機器は、一般的に、通話料金が発生しないよう通信を終了する。発信機器は、インターネットに接続し、合意されたミーティングポイントに行き、受信機器が来て（あるいは出会って）通話をするのを待つ。インターネット上のミーティンポイントは、ｘｘｘ．ｘｘｘ．ｘｘｘ．ｘｘｘ等の特定のＩＰ（インターネットプロトコル）アドレス、サーバ（又はＰＣ）又は専用のウェブサイトである。受信機器が着信トーンを受信した後、受信機器は、合意されたミーティングポイントのインターネットに接続し、インターネット上のＶｏＩＰを用いて発信機器と通話を行う。
【０００７】
間接通信システムの一側面において、間接通信システムは、発信機器からの情報に応じて通信が見込まれることを受信機器に通知する通知器と、情報に応じてミーティングポイントチャネルを形成するミーティングポイント生成器と、発信機器からのパケットを受信しそのパケットを受信機器へ転送するミーティングポイントチャネルとを含む。
【０００８】
間接通信システムの一側面において、受信機器と発信機器のいずれか又は両方は、ハンドセット、電話機、モバイルフォン、携帯電話、ラジオ、ＰＤＡ（ｐｅｒｓｏｎａｌ  ｄｉｇｉｔａｌ  ａｓｓｉｓｔａｎｔ）、ゲートウェイ、ベースステーション、サーバ、携帯電話の基地局、トランシーバ又はコンピュータであってもよい。
【０００９】
一実施形態において、通知器は、ディスクリートマルチトーン（ＤＭＴ）の呼び出し音を生成してもよく、ここに、通知器は、サーバ又は発信機器のいずれかに備わっており、また、ディスクリートマルチトーン（ＤＭＴ）の呼び出し音には、ミーティングポイントチャネルのアドレスが含まれていてもよい。
【００１０】
一実施形態において、ミーティングポイントのチャネルは、名前又は識別番号とともに通信チャネルを特定するインターネットプロトコル（ＩＰ）アドレス又はドメインネームシステム（ＤＮＳ）名から構成されていてもよい。
【００１１】
一実施形態において、ミーティングポイントチャネルは、予め決められており、固定した通信チャネルを表わしていてもよい。
【００１２】
一実施形態において、ミーティングポイントチャネルは、必要が生じた時に生成される。
【００１３】
一実施形態において、ミーティングポイントチャネルのアドレスは、受信機器の識別番号及びインターネットプロトコル（ＩＰ）アドレス又はドメインネームシステム（ＤＮＳ）名から構成されていてもよい。
【００１４】
一実施形態において、受信機器を特定するミーティングポイントのチャネルは受信機器に属している。この場合、ミーティングポイントチャネルは、受信機器のホームミーティングポイントとなる。
【００１５】
一実施形態において、発信機器は、受信機器のミーティングポイントに接続し、受信機器が通信を始めるのを待つ。
【００１６】
一実施形態において、受信機器は、もし通信を受け入れるのであれば、ホームミーティングポイントに接続する。
【００１７】
一実施形態において、受信機器は、もし通信を拒否するのであれば、ミーティングポイントチャネルに拒否のメッセージを送信し、ミーティングポイントチャネルは、発信機器へ拒否の信号を中継する。
【００１８】
一実施形態において、受信機器は、受信（又は送信）機器が別のミーティングポイントチャネルを提案すれば、受信機器は別のミーティングポイントチャネルに接続する。
【００１９】
一実施形態においては、受信されるパケットは、発信機器の送信元アドレス及びミーティングポイントチャネルのあて先アドレスを含んでいてもよい。
【００２０】
一実施形態において、転送は、それぞれの転送されるパケットのヘッダのあて先アドレスを、ミーティングポイントチャネルのアドレスから受信機器のアドレスに変えるとともに、それぞれの転送されるパケットのヘッダの発信元アドレスをミーティングポイントチャネルのアドレスに変えることで構成されていてもよい。
【００２１】
一実施形態において、間接通信システムは、さらに、複数の受信機器を含み、発信機器から受信されたそれぞれのパケットはミーティングポイントにて複数回コピーされ、そしてコピーされたパケットは、複数の受信機器の一つに転送される。
【００２２】
間接通信方法の一側面において、通信方法は、発信機器からの情報に応じて通信が見込まれることを受信機器に通知し、情報に応じてミーティングポイントチャネルを形成し、ミーティングポイントチャネルにて発信機器からのパケットを受信し、ミーティングポイントチャネルにて受信機器へパケットを転送する処理を含む。
【００２３】
一実施形態において、その方法は、ミーティングポイントチャネルにて発信機器から受信されるパケットのそれぞれを複数回コピーし、コピーされたパケットを複数の受信機器の一つに転送することを含む。
【００２４】
間接通信方法の一実施形態において、受信機器は、ハンドセット、電話機、ゲートウェイ、ベースステーション、サーバ、携帯電話の基地局、トランシーバ又はコンピュータである。
【００２５】
間接通信方法の一実施形態において、発信機器は、ハンドセット、電話機、ゲートウェイ、ベースステーション、サーバ、携帯電話の基地局、トランシーバ又はコンピュータである。
【００２６】
間接通信方法の一実施形態において、ミーティングポイントチャネルは、サーバ、ベースステーション、ハンドセット、ボイスオーバインターネットプロトコルハンドセット、ボイスオーバインターネットプロトコル制御器、交換機又は専用のブラックボックス機器及び周辺機器の内部にて生成される。
【００２７】
間接通信方法の一実施形態において、ミーティングポイントチャネルは、ボイスオーバインターネットプロトコルの制御及び管理マトリックスから構成され、多数の通話を同時に処理できるようになっている。
【００２８】
一実施形態において、ミーティングポイントチャネルは、サーバ、コンピュータ、ベースステーション、ハンドセット、ボイスオーバインターネットプロトコルハンドセット、ボイスオーバインターネットプロトコル制御器、交換機又は専用のブラックボックス機器及び周辺機器の内部にて生成される。
【００２９】
一実施形態において、ミーティングポイントチャネルは、ボイスオーバインターネットプロトコルの制御及び管理マトリックスから構成され、多数の通話を同時に処理できるようになっている。
【００３０】
一実施形態において、通知器は、マルチトーンの着信トーンを生成する。
【００３１】
一実施形態において、通知器は、サーバ上に備えられている。
【００３２】
一実施形態において、通知器は、発信機器上に備えられている。
【００３３】
一実施形態において、ミーティングポイントチャネルのアドレスは、受信機器の識別番号及びミーティングポイント生成器のインターネットプロトコルアドレス又はドメインネームシステム名、すなわち、受信機器のホームミーティングポイントを含む。
【００３４】
一実施形態において、もし受信機器が通信を受け入れるならば、受信機器は、ホームミーティングポイントチャネルに接続する。
【００３５】
一実施形態において、もし、受信機器が通信を拒否するならば、受信機器は、ミーティングポイントチャネルに拒否のメッセージを送信し、ミーティングポイントチャネルは、発信機器へ拒否のメッセージを中継する。
【００３６】
一実施形態において、もし、受信機器が別のミーティングポイントチャネルを提案するならば、受信機器は、その別のミーティングポイントチャネルに接続する。
【００３７】
一実施形態において、受信されたパケットは、ボイスオーバインターネットプロトコル、インターネットプロトコル又はユーザデータグラムプロトコルを用いる形式であってもよい。
【００３８】
一実施形態において、転送は、パケットのヘッダの発信元アドレスをミーティングポイントチャネルのアドレスから受信機器のアドレスに変えることを含む。
【００３９】
一実施形態において、発信機器は、第１のネットワークで動作し、受信機器は、第２のネットワークで動作し、第２のネットワークは、第１のネットワークと互換性を有さず、通知子は、第１のネットワークについての情報を含む。
【００４０】
一実施形態において、受信機器は、発信機器のネットワークが通知され、発信機器のネットワークに関連付けられている受信機器ソフトウェアを起動する。
【００４１】
間接通信システムの別の一側面において、間接通信システムは、通信が見込まれることを発信機器からの情報に応じて受信機器に通知する手段と、その情報に応じて、ミーティングポイントチャネルを形成する手段と、ミーティングポイントチャネルにて発信機器からのパケットを受信する手段と、ミーティングポイントチャネルにて受信機器へパケットを転送する手段を含む。
【００４２】
間接通信システムの別の一側面において、電話機器は、受信機器へ通知信号を送信して通信を終了する送信機と、通知信号は通信が見込まれることを受信機器へ通知し、通知信号を受信機器へ送信した結果としてサーバから通信信号を受信する接続器を含む。
【００４３】
間接通信システムの別の一側面において、電話機器は、発信機器から通知信号を受信する受信器と、発信機器からの通知信号に応じてサーバへ通信信号を送信する接続器を含み、通信信号は、見込まれる通信を受け入れ、見込まれる信号を拒否し、又は見込まれる通信のための別のミーティングロケーションを合意する信号を伝達する。
【００４４】
間接通信システムの別の一側面において、間接通信システムは、発信機器から情報を受信した後に２つの着信トーン信号を送信する生成器と、受信機器へ２つの着信トーン信号を送信する送信器とを有し、２つの着信トーン信号は、受信器に通信が見込まれることを通知しミーティングポイントチャネルのアドレスを送信し、また、受信機器がサーバへの接続を確立した後にミーティングポイントサーバ内にミーティングポイントチャネルを生成するミーティングポイント生成器を有し、ミーティングポイントチャネルは受信機器の電話番号及びサーバのアドレスにより特定され、さらにミーティングポイントチャネルの中でパケットヘッダにより識別される発信ＶｏＩＰパケットの、取得された音声データを受信する転送器を有し、パケットヘッダはサーバのあて先アドレス及び発信機器の送信元アドレスを有しており、転送器は発信ＶｏＩＰパケットのパケットヘッダのあて先アドレスを受信機器のアドレスに変え、パケットヘッダの発信元アドレスをサーバのアドレスに変えて転送する。
【００４５】
間接通信方法の別の一側面において、通信方法は、発信機器から情報を受信した後に、２つの着信トーン信号を伝達し、受信機器へ２つの着信トーン信号を送信し、発信機器がサーバとの接続を確立した後にミーティングポイントサーバ内にミーティングポイントチャネルを生成し、ミーティングポイントチャネル内で取得された、パケットヘッダにより特定される発信ＶｏＩＰパケットの中の音声データを受信し、ここにパケットヘッダは、サーバのあて先アドレス及び発信機器の発信元アドレスを有し、さらにミーティングポイントチャネル内で発信ＶｏＩＰパケットを、パケットヘッダのあて先アドレスを受信機器のアドレスに変え、パケットヘッダの送信元アドレスをサーバのアドレスに変えて転送する。
【００４６】
間接通信システムの別の一側面において、間接通信システムは、発信機器から情報を受信した後に２つの着信トーン信号を伝達する生成器と、２つの着信トーン信号を受信機器へ送信する送信器を有し、２つの着信トーンは、通信が見込まれることを受信器に通知しミーティングポイントチャネルのアドレスを送信し、また、間接通信システムは発信機器がサーバに接続を確立した後に、ミーティングポイントサーバ内にミーティングポイントチャネルを生成するミーティングポイント生成器を有し、ミーティングポイントチャネルは、受信機器の電話番号及びサーバのアドレスにより特定され、発信機器は、パケットヘッダにより特定される発信ＶｏＩＰパケット内の取得された音声データを転送器へ送信し、パケットヘッダはサーバのあて先アドレス及び発信機器の送信元アドレスを有し、また、間接通信システムは、パケットヘッダのあて先アドレスを受信機器のアドレスに変え、パケットヘッダの送信元アドレスをサーバのアドレスに変えることにより受信機器へ発信ＶｏＩＰパケットを転送する転送器を有する。
【００４７】
間接通信方法の別の一側面において、通信方法は、発信機器から情報を受信した後に、２つの着信トーン信号を伝達し、受信機器へ２つの着信トーン信号を送信し、発信機器がミーティングポイントサーバとの接続を確立した後にミーティングポイントサーバ内にミーティングポイントチャネルを生成し、発信機器からのパケットヘッダにより特定される発信ＶｏＩＰパケットの取得された音声データをミーティングポイントチャネルの転送器に伝達し、ここにパケットヘッダは、サーバのあて先アドレス及び発信機器の送信元アドレスを有し、転送器は発信ＶｏＩＰパケットをミーティングチャネル内でパケットヘッダのあて先アドレスを受信機器のアドレスに変えパケットヘッダの送信元アドレスをサーバのアドレスに変えることにより転送し、したがって、コストを削減し、また、モバイルフォンにインターネット上の品質ある通話を送受信させる。
【００４８】
間接通信システムの別の一側面において、電話機器は、受信機器へ通信信号を送信し通信を終了する送信器を有し、ここに通信信号は、受信機器に通信が見込まれることを通知し、また、電話機器は、受信機器への通知信号を送信した結果サーバから通信信号を受信することができる接続器を有する。
【００４９】
間接通信システムの別の一側面において、電話機器は、発信機器からの通信信号を受信する受信器と、発信機器からの通信信号に応じてサーバへ通信信号を送信することができる接続器を有し、通信信号は、予見される通信を受け入れ、予見される通信を拒否し又は予見される通信のための別のミーティングポイントロケーションを合意する情報を伝達する。
【００５０】
間接通信システムの別の一側面において、間接通信システムは、発信機器と受信機器とを含み、受信機器は番号を有し、信号が発信機器から受信機器の番号へ伝わり、また間接通信システムは、受信機器の番号により特定されるミーティングポイントチャネルを有し、受信機器は、発信機器からの信号に応じ、受信機器の番号により特定されるミーティングポイントチャネルを呼び出し、発信機器は、受信機器の番号により特定されるミーティングポイントチャネルを呼び出し、ミーティングポイントチャネルにおいて発信機器から受信されたパケットは、ミーティングポイントチャネルにおいて受信機器へ転送される。
【００５１】
間接通信システムの別の一側面において、間接通信システムは、発信機器と受信機器とを有し、受信機器は、番号又は名前を有し、信号が発信機器から受信機器の番号又は名前へ伝わり、また間接通信システムは、受信機器の番号又は名前により特定されるミーティングポイントチャネルを有し、ミーティングポイントチャネルは、発信機器の信号に応じ、またミーティングポイントチャネルは受信機器の番号又は名前により特定される呼び出しに応じ、発信機器は、受信機器の番号又は名前により特定されるミーティングポイントチャネルを呼び出し、また、ミーティングポイントチャネルにて発信機器から受信されたパケットは、ミーティングポイントチャネルにて受信機器へ転送される。
【００５２】
間接通信システムの一実施形態において、受信機器の番号又は名前は、番号自体、プレフィックスを有する番号、サフィックスを有する番号、番号と関連付けられた名前、ＩＰアドレス、名前の置換及びここに列挙された要素の組み合わせである。
【００５３】
間接通信システムの一実施形態において、受信機器の番号により特定されるミーティングポイントチャネルは、受信機器により、所有及び管理作業のために所有される。
【００５４】
間接通信システムの一側面において、間接通信システムは、発信機器と受信機器とを有し、受信機器は番号又は名前を有し、発信機器はサーバに接続し、信号がサーバから受信機器の番号又は名前に伝わり、また間接通信システムは、サーバ内部に生成されたミーティングポイントチャネルを有し、ミーティングポイントチャネルは、受信機器の番号により特定され、発信機器は、受信機器の番号で特定されるミーティングポイントチャネルへ転送された後、受信機器を待ち、また、受信機器は、サーバからの信号に応じて受信機器の番号又は名前により特定されるミーティングポイントチャネルを呼び出し、また、ミーティングポイントチャネルにて発信機器から受信されたパケットは、ミーティングポイントチャネルにて受信機器へ転送される。
【００５５】
間接通信システムの別の一側面において、間接通信方法は、発信機器から受信機器へ信号を送信し、受信機器にて受信機器の番号により特定されるミーティングポイントチャネルを呼び出して発信機器からの信号に応答し、発信機器にて受信機器の番号により特定されるミーティングポイントチャネルを呼び出し、ミーティングポイントチャネルにて発信機器からのパケットを受信し、ミーティングポイントチャネルにて受信機器へパケットを転送することを含む。
【００５６】
間接通信システムの別の一側面において、間接通信方法は、発信機器から受信機器へ信号を送信し、信号が送信される時に発信機器は、受信機器が待っているホームミーティングポイントに接続し、信号を受信した後に、受信機器はそのホームミーティングポイントに接続し、発信機器からパケットをミーティングポイントチャネルにおいて受信し、ミーティングポイントチャネルにて受信機器へパケットを転送する。
【００５７】
本発明は、間接通信システムとその方法に関するモバイルフォンを提供してこれらの事や他のことを実現する。本発明の一側面において、受信機器は、常にインターネットにアクティブに接続する必要はない。通信システムは、モバイルフォンの正確な位置を知らなくてもよい。モバイルフォンは、最も近くのベースステーション（又はインターネットアクセスポイント）を探し、必要な時にだけインターネットに接続してもよい。
【００５８】
本発明の上述の及び他の特徴及び利点とともに本発明の種々の実施形態の構造及び動作は、添付の図面を参照し、以下に詳細に説明される。
【００５９】
本発明のさらなる側面及び／又は利点は、一部は、以下の説明に開示され、また、一部は、その説明から自明であり、又は発明の実施から知られるであろう。
【発明の効果】
【００６０】
本発明によれば、無線媒体及びボイスオーバインターネットプロトコル（ＶｏＩＰ）を用いるモバイルフォンを使用して、比較的低コストであり高い品質の通話をし、また、受けることができる。
【図面の簡単な説明】
【００６１】
添付の図面は、本明細書に取り込まれ、明細書の一部を成し、本発明の種々の実施形態を示し、説明と共に、さらに本発明の原理を説明する役に立ち、当業者が本発明を実施し実行できるようになる。図面において、同様の番号は同等又は機能的に同等の要素を示す。本発明のこれら及び／又は他の側面及び利点は、添付の図面を組み合わせると以下の実施形態の説明から明らかでありさらによりよく理解される。
【図１】本発明の一実施形態に係る間接通信システムの概要図である。
【図２】本発明の一実施形態にて使用するミーティングポイントサーバの概要図である。
【図３Ａ】本発明の一実施形態に係る間接通信システムの概要図である。
【図３Ｂ】本発明の一実施形態に係る間接通信システムの概要図である。
【図４】本発明の一実施形態にて使用するためのミーティングポイントサーバの概要図である。
【図５】本発明の一実施形態にて使用するベースステーションの概要図である。
【図６】本発明の一実施形態にて使用するトランシーバの概要図である。
【図７】本発明の一実施形態にて使用するためのミーティングポイントサーバの概要図である。
【図８】本発明の一実施形態にて使用するための通知信号の概要図である。
【図９】本発明の一実施形態にて使用するためのミーティングポイントサーバの概要図である。
【図１０】本発明の一実施形態にて使用するためのミーティングポイントサーバの概要図である。
【図１１】本発明の一実施形態にて使用するためのミーティングポイントサーバの概要図である。
【図１２】本発明の一実施形態にて使用するためのミーティングポイントサーバの概要図である。
【図１３】本発明の一実施形態にて使用するためのミーティングポイントサーバの概要図である。
【図１４】本発明の一実施形態にて使用するためのミーティングポイントサーバの概要図である。
【図１５】本発明の一実施形態にて使用するためのミーティングポイントサーバの概要図である。
【図１６】本発明の一実施形態にて使用するためのミーティングポイントサーバの概要図である。
【図１７】本発明の一実施形態にて使用するためのミーティングポイントサーバの概要図である。
【図１８】本発明の一実施形態にて使用するためのミーティングポイントサーバの概要図である。
【図１９】本発明の一実施形態に係る間接通信方法の処理チャートである。
【図２０】本発明の一実施形態にて使用するためのアドレス生成の処理チャートである。
【図２１】本発明の一実施形態にて使用するためのパケット転送の処理チャートである。
【図２２】本発明の一実施形態にて使用するためのミーティングポイントチャネルの設定の処理チャートである。
【図２３】本発明の一実施形態にて使用するための電話呼び出しの処理チャートである。
【図２４】本発明の一実施形態にて使用するためのミーティングポイントサーバの概要図である。
【図２５】本発明の一実施形態にて使用するためのミーティングポイントサーバの概要図である。
【発明を実施するための形態】
【００６２】
（定義）
インターネットは、時には、トランスミッションコントロールプロトコル／インターネットプロトコル（ＴＣＰ／ＩＰ）ネットワークと呼ばれ、ＴＣＰ／ＩＰを使用する互いに接続されたネットワークの集まりを一般的に意味する。
【００６３】
インターネットプロトコル（ＩＰ）アドレスは、例えば、１６５．１１３．２２３．２のようにドットで区切られた４つの部分を有する独特の番号であるアドレスを一般的に意味する。それぞれの部分は、０から２５５までの値を有することができる。ＴＣＰ／ＩＰネットワーク（あるいはインターネット）において、ＩＰアドレスは、ネットワーク上のコンピュータを一意に識別するために使用することができる。より新しいバージョンのＩＰアドレスは４つの代わりに６つの部分を用いＩＰｖ６と呼ばれる。それぞれのコンピュータがその対応するＩＰアドレスによって一意に識別することができるコンピュータネットワークもＩＰネットワークと呼ばれる。
【００６４】
ドメインネームシステムは、ドメインネームをＩＰアドレスに変換するインターネットサービスを一般的に意味する。ドメインネームシステムは、インターネット上でｗｗｗ．ｐｗｔ．ｃｏｍ等の名前を例えば１６５．１１３．２２３．２などのＩＰアドレスに変換するために使用されてもよい。
【００６５】
ブロードバンドは、単一の媒体（有線あるいは無線）がいつでもいくつかのチャネルを維持するための容量を有するデータ送信タイプを一般的に意味する。また、マルチプレクシングとしても知られている。コンピュータネットワークまたはコンピュータ間の通信は、例えば、１Ｍｂｐｓ（１秒あたりメガビット）から２０Ｍｂｐｓのスピードを有するブロードバンドであってもよい。
【００６６】
セッションイニシエーションプロトコル（ＳＩＰ）は、ＶｏＩＰと、インスタントメッセージング、ビデオ、オンラインゲーム及び他のサービスのその他テキスト及びマルチメディアセッションのためのインターネットエンジニアリングタスクフォース（ＩＥＴＦ）プロトコルである。
【００６７】
ＳＩＰ電話は、電話等の機器であり、ＰＣの関与無しに発呼、着呼をするためにインターネットに直接あるいはブロードバンドモデムや同様の機器に接続された機器を一般的に意味する。
【００６８】
ＩＰパケットは、グローバルスケールで互換性を確保するのと同じ方法で構造化されたインターネット通信のために使用されるパケットを一般的に意味する。ＩＰパケットは、ＩＰヘッダとそれに続く可変長のデータフィールドを含む。
【００６９】
ＰＳＴＮゲートウェイは、ＶｏＩＰマシンに普通の電話機との発呼、着呼をさせるＶｏＩＰ機能を有するマシンにインストールされたソフトウェアを一般的に意味する。
【００７０】
ベースステーションは、モバイルフォンとの通信を可能にし、トランシーバに接続された、ゲートウェイ、ＷｉＦｉルータ、ＧＳＭルータ、コンピュータまたはサーバ等の機器を一般的に意味する。
【００７１】
モバイル通信のための大域システム（ＧＳＭ）ネットワークは、モバイルフォンを携帯電話ネットワークに接続する一連の無線送信機を使用し、その無線送信機はベースステーションであってもよい。ベースステーションの無線周波数は、セルとも呼ばれ、個別のエリア内のある範囲をカバーする。ベースステーションは、モバイルフォンが通信を切断しないように一つのセルから別のセルに移動できるように相互に接続されてもよい。ベースステーションの集まりは、特別のベースステーション制御器（ＢＳＣ）に接続される。ベースステーション制御器は、モバイル交換センタ（ＭＳＣ）に接続される。モバイル交換センタとその関連モジュールは、ＰＳＴＮの呼と他のネットワークへの呼を含む着信と発信する通信のルーティングを行う。
【００７２】
無線媒体または周波数は、モバイルフォンとベースステーションとの間の通信に使用される無線周波数を一般的に意味する。
【００７３】
ＧＳＭ無線媒体は、ＧＳＭモバイルフォンにより使用される５つの無線周波数（ＲＦ）バンドを一般的に意味する。これらのバンドは以下の通り：
【００７４】
ＧＳＭ−９００  ８９０−９１５ＭＨｚ及び１から１２４ＲＦチャネル番号を使用する。
【００７５】
ＧＳＭ−１８００  １７１０−１７８５ＭＨｚ及び５１２から８８５チャネル番号の３７４ＲＦチャネルを使用する。
【００７６】
ＧＳＭ−８５０  ８２４−８４９ＭＨｚ及び１２８から２５１チャネル番号を使用する。
【００７７】
ＧＳＭ−１９００  ５１２から８１０チャネル番号の１８５０−１９１０ＭＨｚを使用する。
【００７８】
ＧＳＭ−４００  ８９０−９１５ＭＨｚを使用する。
【００７９】
無線周波数とチャネル番号との両方は、第1世代（１Ｇ）モバイルフォンと互換である。
【００８０】
ワイヤレスフィデリティ（Ｗｉ−Ｆｉ）は、ＩＥＥＥ  ８０２．１１としても知られ、５ＧＨｚを使用する８０２．１１ａを除き、２．４ＧＨｚ近くのスペクトラム範囲で動作する。異なる国では、出力パワーへの要求により異なるＷｉ−Ｆｉ設定が使用されてもよい。標準化されたチャネル番号を使用することにより、無線周波数（ＲＦ）の違いが国際的に容易に検出できる。Ｗｉ−Ｆｉの標準的な範囲は、数百メートル以下である。
【００８１】
ワールドワイドインターオペラビリティマイクロウェイアクセス（ＷｉＭＡＸ）は、ＩＥＥＥ  ８０２．１６としても知られ、２から２０ＧＨｚのＲＦを使用する特定の無線アクセスの標準である。ＷｉＭＡＸの送受信範囲は、しばしば20キロメートルを超え、Ｗｉ−Ｆｉよりも大きい。
【００８２】
モバイルフォンがインターネット（あるいは、ボイスオーバーインターネットプロトコルネットワーク）を用いて低コストで比較的高品質に発呼及び着呼できるようにするのが望ましい。発信側が、過大な通信料を発生させずに受信機器に、誰かがインターネットのミーティングポイントにて通信するのを待っていることを知らせることができるのはさらに望ましい。また、過大な通信料を発生させずに受信機器が、ボイスオーバインターネットプロトコル（ＶｏＩＰ）を使ってミーティングポイントに接続し、発信機器と通信を行うことができるのはさらに望ましい。発信機器が、短い信号を既存の携帯電話ネットワークで受信機器に送信し通信料の出費を最小限にするように、誰かがミーティングポイントで待っていることを受信機器が知ることができるのはさらに望ましい。通信料の費用が最小化できるようにするために、受信機器が短い通知トーンに応答する必要がなく、あるいは、発信機器と直ちに通信を終了し、発信機器との実際の通信がミーティングポイントを通して行われるのが望ましい。最後に、受信機器の位置が発信側に知られる必要がないようにするのが望ましい。
【００８３】
インターネットは、所謂パケット交換ネットワークである。パケットは、広い範囲で互換性を確実にするために類似の構造となっている。ＩＰパケットは、ヘッダとそれに続く可変長のデータフィールドを有する。ヘッダフィールドの中には、ソースＩＰがありそれは送信側機器のアドレスであり、また、デスティネーションＩＰがありそれは受信側機器のアドレスである。ＩＰがこの説明にて使用されるが、本発明は特定のパケットのフォーマットや一般的なＩＰに限定されることはない。ここでの例は、単なる例示的なものであり、限定することを意味しない。
【００８４】
別のタイプのネットワークには、プレインオールド電話ネットワーク（ＰＯＴＳ）としても知られている公衆交換電話ネットワーク（ＰＳＴＮ）等の回路交換ネットワークがある。公衆交換電話ネットワークは、銅線に基づき、アナログ音声データを伝える国内または国際電話システムを一般的に意味する。公衆交換電話ネットワークにより提供される電話サービスは、しばしば、「プレインオールド電話サービス」（ＰＯＴＳ）と呼ばれる。プレインオールド電話サービスは、多くの家庭が使用する標準的な電話サービスである。一般的に、プレインオールド電話サービスは、約５２ｋｂｐｓ（一秒当り５２，０００ビット）に制限がされている。
【００８５】
第３のタイプのネットワークには、無線、すなわちラジオ無線（ＲＦ）ネットワークがある。無線ネットワークは、インターネットのようにパケット交換であったり、公衆交換電話ネットワークのように回線交換であったり、両方であったりする。
【００８６】
ゲートウェイは、しばしば、パケット交換データから回線交換データへ、あるいは逆への変換を行うために使用される。このようにゲートウェイは、ＶｏＩＰ機器が、公衆交換電話ネットワークの電話機等の普通の電話機と発呼着呼ができるようにする。ゲートウェイは、異なるプロトコルを使用する別のネットワークとのインターフェースを備えたハードウェアまたソフトウェアの機器を一般的に意味する。ゲートウェイは、例えば、システムの相互運用性を提供するプロトコルや信号の変換器を有していてもよい。ゲートウェイは、２つのネットワークの相互に受け付け可能な手続を確立する。
【００８７】
ボイスオーバインターネットプロトコル（ＶｏＩＰ）は、セッションイニシエーションプロトコル（ＳＩＰ）、国際電気通信連合（ＩＴＵ）Ｈ．３２３のように、インターネットなどのパケット交換ネットワーク上の音声信号を伝えるプロトコルを一般的に意味する。ＶｏＩＰはインターネットの利用者に電話による通信機能を提供することができる。ＶｏＩＰクライアント（すなわち、ＶｏＩＰソフトウェアフォン）を有するコンピュータは、ＴＣＰ／ＩＰネットワーク（すなわちインターネット）上の別のコンピュータに発呼するために使用することができる。一般的に、コンピュータの、スピーカ、マイクロフォン及びサウンドカードは、通信相手と会話するために使用することができる。コンピュータのキーボードは、通信を確立するために受信側のＩＰアドレスやドメインネームシステムをタイプするのに使用することができる。ＴＣＰ／ＩＰネットワーク上のＶｏＩＰのコミュニティ全体は、一般的に、ＶｏＩＰネットワークと呼ばれる。
【００８８】
ボイスオーバーインターネットプロトルによる通信において、マイクロフォンから受信された音声信号は、サンプリングされ、サンプリングされたものは、例えば、離散フーリエ変換により音声信号の周波数成分を抽出し、周波数データをパケットのペイロードとすることで、サウンドカードにてパケットのペイロードに変換される。パケットが送信される受信機のアドレスは、キーボードから入力されるようになっていてもよい。周波数データは、受信機にて別のサウンドカードを用いて逆フーリエ変換により逆変換がされ、スピーカから発せられる。スピーカとマイクロフォンは、ソフトウェアフォンの中に実現されていてもよい。
【００８９】
ボイスオーバインターネットプロトコル等のフォーマットは、情報を転送するためにインターネットを用いており、インターネットサービスプロバイダに支払われる定額料金による通信を可能とする。定額料金は、しばしば、所与の期間又は頻度の通信においては、携帯電話を用いる通信に相当するコストよりも低額である。しかし、インターネット上の通信に関する欠点は、通信を行う当事者の少なくとも位置を互いに知らせて通信を行う意思を持つ必要があり、また通信の設定に参加する必要がある。それぞれの当事者は、例えば、別々にインターネットにアクセスし、他の当事者にコンタクトをとり、そして、通信を開始する。
【００９０】
一般に、インターネットには、携帯電話において提供されているような、当事者の一方が他の当事者の電話番号をダイヤルし、携帯電話サービスプロバイダが他の当事者の電話機の位置を特定し、通信を接続するのに相当する通知機能がない。インターネットは、特に、携帯電話サービスプロバイダが、呼び出される当事者の携帯電話の位置を特定するのに用いているインフラストラクチャのどれも有していない。したがって、携帯電話サービスプロバイダの保有するインフラストラクチャを利用して、例えば、実際の通信の間はインターネットで行うために、呼び出される当事者の位置の特定と通知をして通信を開始するのが望ましい。
【００９１】
図１には、発信機器１００を含む間接通信システムの一実施形態が示されており、トランシーバ１０４と、受信機器１０２を含み、受信機器１０２はトランシーバ１０４を有していてもよい。もし、モバイル通信のための大域システム（ＧＳＭ）ネットワーク等の携帯電話ネットワークが発信機器１００と受信機器１０２のためにサービスを提供すれば、発信機器１００と受信機器１０２は、一連のベースステーション１０６によりネットワークに接続される。ベースステーション１０６もまたモバイル交換センタ（ＭＳＣ）に接続されてもよく、モバイル交換センタ（ＭＳＣ）も他のネットワークに接続される。
【００９２】
それぞれのベースステーション１０６は、セルと呼ばれるエリアにサービスを提供し、発信機器１００または受信機器１０２は、セルに入ると、ベースステーション１０６を通じてネットワークと通信を行う。発信機器１００と受信機器１０は、セルからセルに移動するに従い、さらに、一つのベースステーション１０６から他へハンドオフされるようになっていてもよい。ベースステーション１０６は、公衆交換電話ネットワークゲートウェイ、モデム、及び／又は、通常の公衆交換電話ネットワークとの交換機を有するパーソナルコンピュータ（ＰＣ）であってもよい。
【００９３】
間接通信システムは、発信機器１００と受信機器１０２との通信のためのミーティングポイントサーバ１０８を有し、通信ネットワーク１１４と接続点を有していてもよい。ミーティングポイントサーバ１０８は、公衆交換電話ネットワークゲートウェイ、モデム、及び／又は、交換機を有するサーバであってもよい。発信機器１００と受信機器１０２とのいずれか又は両方は、モバイルフォンであってもよい。発信機器１００と受信機器１０２の役割が、決められていても一般性を失わない。
【００９４】
発信機器１００は、トランシーバ１０４を介して信号１１０を送信及び受信することが可能となっている。発信機器１００は、ベースステーション１０６にトランシーバ１０４を介して接続されている。発信機器１００は、また、トランシーバ１０４またはベースステーション１０６を介してミーティングポイントサーバ１０８と接続することが可能となっている。サービスの最低のレベルとして、ベースステーション１０６と発信機器１００との間での完全なインターネットアクセスは必要ではない。実際、ベースステーション１０６と発信機器１００との間での音声通信で充分であり、これにより、発信機器１００の、中央演算装置（ＣＰＵ）及び／又は計算能力を最小にすることができる。
【００９５】
図１に示されているように、発信機器１００は、受信機器に信号１１０を送信することにより、受信機器１０２に発呼するようになっていてもよい。信号１１０は、短い（１又は２音）呼び出し音であってもよい。信号１１０により、発信機器１０２との通信が予見されることを受信機器１０２に通知する。一実施形態において、発信機器１００は、受信機器１０２に信号１１０を送信することにより、通信の意思があることを受信機器１０２に伝え、これ以上の通信料がかからないようにするために、通信を終了する。一実施形態において、発信機器１００は、ベースステーションからの接続を切断することにより、通信を終了する。
【００９６】
信号１１０を送信するのに使うことができる機器及び方法には数多くのものがある。発信機器１００は、発信機器１００は、受信機器１０２へ信号１１０を従来の方法でＧＳＭネットワークを介して送信することができる。信号１１０は、発信機器１００のトランシーバ１０４によって生成されたりブロードキャストされたりすることもできる。別の一実施形態においては、ベースステーション１０６は、信号１１０を受信機器１０２へ送信することができる。別の一実施形態においては、ミーティングポイントサーバ１０８は、受信機器１０２へ信号１１０を送信することができる。
【００９７】
信号１１０は、１又は２つのトーンを有するディスクリートマルチトーン信号等のディスクリートマルチトーン（ＤＭＴ）とすることができる。一実施形態においては、信号１１０は、ミーティングポイントサーバ１０８のアドレス等の位置を特定する受信機器１０２のための情報を含む。別の一実施形態において、信号１１０は、発信機器１０又は受信機器１０２の電話番号又はアドレスを特定するミーティングポイントサーバ１０８のための情報を含む。別の一実施形態において、信号１１０は、他の情報を全く含まなくてもよい。
【００９８】
いくつかの実施形態において、信号１１０は、発信機器１００をベースステーション１０６やミーティングポイントサーバ１０８に接続するための、スペクトル拡散信号や時間、周波数又はコード分割多重信号や、それらの組み合わせ等の任意のアナログ又はデジタル信号とすることができる。一実施形態において、信号１１０は、ＧＳＭ信号である。信号１１０は、受信機器１０２に割り当てられた電話番号を用いて受信機器１０２へ向けられるようになっていてもよい。この場合、信号１１０は、上述した２トーンのディスクリートマルチトーン信号、通信が予見されることを受信機器１０２に伝える短い信号であってもよい。
【００９９】
信号１１０を送信した後、発信機器１００は、一般的に、それ以上の電話または通信料が発生しないようにするために通信を終了する。一実施形態においては、その後、発信機器１００は、ミーティングポイントサーバ１０８の中の受信機器１０２のホームミーティングポイントに接続し、受信機器１０２の応答を待ってもよい。受信機器１０２がベースステーション１０６又はインターネットに常時接続されている必要はない。
【０１００】
一実施形態において、受信機器１０２は、信号１１２を送受信できるようになっている。信号１１２は、２トーンを有するディスクリートマルチトーン信号等のディスクリートマルチトーン信号とすることもできる。発信機器１００と受信機器１０２との間の直接通信の場合、信号１１２は、アドレスなどのミーティングポイントサーバ１０８の位置を特定する受信装置１００の情報を含む。別の一実施形態において、信号１１２は、発信機器１００又は受信機器１０２の電話番号又はアドレスを特定するミーティングポイントサーバ１０８のための情報を含む。
【０１０１】
いくつかの実施形態において、信号１１２は、ベースステーション１０６又はミーティングポイントサーバを受信機器１０２に接続するための、スペクトル拡散信号や時間、周波数又はコード分割多重信号や、それらの組み合わせ等の任意のアナログ又はデジタル信号とすることができる。信号１１２は、また、受信機器１０２をトランシーバ１０４又はベースステーション１０６を介してミーティングポイントサーバ１０８に接続するために用いることができる。一実施形態において、信号１１２はＧＳＭ信号である。
【０１０２】
受信機器１０２は、呼び出しに応答する必要はなく、あるいは、呼び出しに応答して通信を終了して通信料を最小化することができる。一実施形態において、また、受信装置１０２に短い通知信号を送信した直後に通信を終了し、料金を最小化することができる。信号１１０は、特に、受信装置１０２に、通信そのものを必ずしも行う必要なく、通信が予見されることを通知してもよい。信号１１０は、また、ミーティングポイントサーバ１０８を特定する情報を伴っていてもよい。
【０１０３】
受信機器１０２は、発信機器１００から信号１１０を受信すると、ミーティングポイントサーバ１０８のミーティングポイントチャネルに接続してもよい。一実施形態において、受信機器１０２は、ベースステーション１０６を介してミーティングポイントサーバに接続する。別の一実施形態においては、受信機器１０２は、インターネットなどにより、ミーティングポイントサーバ１０８のミーティングポイントチャネルに直接接続し、発信機器１００と通信を開始してもよい。発信機器１００と受信機器１０２との両方が、ミーティングポイントサーバ１０８に接続した後、通信は、ＶｏＩＰを使用して開始する。
【０１０４】
ミーティングポイントサーバ１０８は、発信機器１００と受信機器１０２との間の通信接続を維持させることができるようになっている。その接続は、受信機器１０２に発信機器１００との通信が予見されることを通知する信号１１０を含んでいてもよい。この場合、受信機器１０２は、信号１１０を受信した後、ミーティングポイントサーバ１０８と接続を形成してもよい。
【０１０５】
しかし、受信機器１０２は、短い２トーンの信号により表される呼に応答する必要はない。そのかわり、信号１１０自身は、受信機器１０２がミーティングポイントサーバ１０８にて発信機器１００と通信が予見されることを認識するのに充分な情報を含んでいてもよい。あるいは、受信機器１０２は、呼び出しに応答し直ちに通信を終了して通信料を最小にしてもよい。
【０１０６】
一実施形態において、通信の終了は、ベースステーション１０６からの接続の終了を意味してもよい。したがって、この実施形態の有利な点は、間接通信システムにより、いかなるモバイル機器も、通信時間の使用を避けながら、ボイスオーバインターネットプロトコル（ＶｏＩＰ）によるなどしてミーティングポイントサーバ１０８と介して他の機器と通信することができることである。
【０１０７】
ミーティングポイントサーバ１０８は、また、電話会議の間のように、発信機器１００と複数の受信機器１０２との間の接続を維持させることができるようになっている。この場合、ミーティングポイントサーバ１０８は、発信機器１００から受信されたそれぞれのパケットをコピーして、そのコピーを個々の受信機器１０２に転送する。受信機器１０２のそれぞれは、対応する信号１１０を受信した後、ミーティングポイントサーバ１０８との接続を形成する。
【０１０８】
しかし、受信機器１０２は、呼び出しに応答せず、あるいは、応答するとしても、直ちに通信を終了してもよい。このように、受信機器１０２のそれぞれは、発信機器１００から通知を受けるがそれ以上の通信料が発生することがない。したがって、この実施形態の有利な点は、間接通信システムは、発信機器１００が、通信時間の使用を避けながら、ボイスオーバインターネットプロトコル（ＶｏＩＰ）によるなどしてミーティングポイントサーバ１０８と介して複数の受信機器１０２と通信することができることである。
【０１０９】
ミーティングポイントサーバ１０８は、通信ネットワーク１１４を使用して、他のサーバと接続されていてもよい。一実施形態において、通信ネットワーク１１４は、インターネット通信ネットワークであってもよい。別の一実施形態においては、通信ネットワーク１１４は、企業の所有しているネットワークなどのインターネット通信ネットワークであってもよい。
【０１１０】
ミーティングポイントサーバ１０８は、通信ネットワーク１１４でのＩＰアドレス等の識別情報を持っていてもよい。アドレスは、ドットで区切られた４又は６個の部分を持つ独特な番号であってもよく、例えば、１６５．１１３．２２３．２である。アドレスは、通信ネットワーク１１４でミーティングポイントサーバ１０８をユニークに識別するために用いることができる。ミーティングポイントサーバ１０８は、ドメイン名を持っていてもよく、例えば、ｗｗｗ．ｐｗｔ．ｃｏｍである。ドメイン名は、ドメインネームシステムによりＩＰアドレスに変換可能となっていてもよい。
【０１１１】
一実施形態において、ＶｏＩＰアプリケーションなどのように、ミーティングポイントサーバ１０８は、１６５．１１３．２２３．２等のＩＰアドレス又はウェブサイトアドレス（例えばｗｗｗ．ｖｏｉｐ_ｍｏｂｉｌｅｐｈｏｎｅ．ｃｏｍ又はｗｗｗ．ｐｗｔ．ｃｏｍ）等のドメイン名を有するパーソナルコンピュータであってもよい。一実施形態において、発信機器１００及び／又は受信機器１０２に接続するベースステーション１０６は、ミーティングポイントサーバ１０８としても使用されてもよい。多くのミーティングポイント（位置又はチャネル）は、発信機器１００と受信機器１０２が出会い、交信を行うためのミーティングポイントサーバ１０８の内部に設定することができる。
【０１１２】
一実施形態において、発信機器１００は、１１１１という電話番号を有していてもよい。発信機器１００は、受信機器１０２に発呼し、受信機器１０２は、２２２２という電話番号を有していてもよい。発信機器１００は、受信機器１０２の２２２２という電話番号を含んでいてもよい短い着信トーンの形式の信号１１０を受信機器１０２に送信することにより、受信機器１０２を呼び出す。
【０１１３】
信号１１０を送信した後、発信機器１００は、ミーティングポイントサーバ１０８に接続し、ミーティングポイントサーバ１０８は、１６５．１１３．２２３．２等のＩＰアドレスを有していてもよい。ミーティングポイントサーバ１０８との接続は、適切なベースステーション１０６を介してであってもよい。ミーティングポイントサーバ１０８は、ミーティングポイントサーバ１０８にて受信機器１０２とのコミュニケーションチャネルを設定し、そのチャネルを発信機器に送信してもよい。
【０１１４】
一実施形態において、発信機器１００，ミーティングポイントサーバ１０８及び受信機器１０２との間で共通に保持される唯一の情報は、受信機器１０２の電話番号である。この実施形態において、ミーティングポイントサーバ１０８のミーティングポイントチャネルは、受信機器１０２の電話番号、すなわち２２２２に、ミーティングポイントサーバ１０８のＩＰアドレス、すなわち１６５．１１３．２２３．２を組み合わせた形式のアドレスを有していてもよい。このように、ミーティングポイントチャネルのアドレスは、２２２＠１６５．１１３．２２３．２という形式となってもよい。２２２２という数字は、受信機器の番号から由来し、一方、ＩＰアドレス１６５．１１３．２２３．２はミーティングポイントサーバ１０８のアドレスから由来する。
【０１１５】
一実施形態において、ミーティングポイントチャネルは、前もって準備され、受信機器１０と発信機器１００との両方は、ミーティングポイントサーバ１０８のミーティングポイントのアドレスを知っている。この実施形態においては、２２２２という番号を有する受信機器１０２が短い着信トーンを受信すると、受信機器１０２は、予め決められたあるいはデフォルトの２２２２＠１６５．１１３．２２３．２によって表わされるミーティング位置に向かい、発信機器１００と通信を始める。この実施形態において、２２２２という番号を有する受信機器は、２２２２＠１６５．１１３．２２３．２で表わされるチャネルを所有していてもよく、それによってミーティングポイントの所有関係が確立する。
【０１１６】
一実施形態において、受信機器１０２は、当然それ自身の電話番号とともに、ミーティングポイントサーバ１０８のＩＰアドレスだけを知っていてもよい。この実施形態において、発信機器１００と受信機器１０２の間には、信号１１０を受信機器１０２に送信することは、ミーティングポイントサーバ１０８に待ち合わせのミーティングポイントチャネルの存在が了解されるプロトコルが予め定められていてもよい。さらに、ミーティングポイントチャネルのアドレスは、受信機器１０２の電話番号とミーティングポイントサーバ１０８のＩＰアドレスから形成されることが了解されていてもよい。
【０１１７】
この実施形態において、２２２２という電話番号を有する受信機器１０２が短い着信トーンを受信すると、受信機器１０２は、ホーム呼び出しを行う。この実施形態において、受信機器１０２は、ミーティングポイントサーバ１０８へ行き、ミーティングポイントサーバ１０８は、受信機器１０２を２２２２＠１６５．１１３．２２３．２により表わされるそのホームミーティングポイントチャネルへ転送する。受信機器１０２は、発信機器１００との通信を始める。このように、受信機器１０２は、それ自身の電話番号とミーティングポイントサーバ１０８のアドレスとからミーティングポイントチャネルのアドレスを復元することができる。
【０１１８】
またさらに別の一実施形態において、信号１１０は、ミーティングポイントサーバ１０８のミーティングポイントチャネルのアドレスを表わすトーンを含んでいてもよい。この実施形態において、受信機器１０２は、ミーティングポイントサーバ１０８のアドレスを知っていなくてもよい。この実施形態においては、むしろ、受信機器１０２は、信号１１０のトーンを解釈し、ミーティングポイントサーバ１０８のミーティングポイントチャネルのアドレスを復元することができるようになっていてもよい。
【０１１９】
さらに、受信機器１０２は、信号１１０により表わされる呼び出しに応答することなく、ミーティングポイントチャネルのアドレスを復元できるようになっていてもよい。これは、例えば、受信機器１０２が「発信者ＩＤ」を有するか又は受信機器１０２のディスプレイに発信機器１００の電話番号又は他の情報が表示される同様の機能を持っていてもよい場合である。あるいは、受信機器１０２は、信号１１０に応答し、ミーティングポイントサーバ１０８のミーティングポイントのアドレスを表わす情報を受信するのに充分長い間、信号１１０を介して発信機器１００に接続し、その後、受信機器１０２は、通信を終了する。
【０１２０】
発信機器１００は、受信機器１０２の番号を知っている必要があるかもしれず、発信機器１００と受信機器１０２との両方は、ゲートウェイ又はミーティングポイントサーバ１０８の対応するＩＰアドレスを知っている必要があるかもしれない。発信機器１００は、「ＶｏＩＰ  呼び出し」ボタンのクリックにより、発呼することができる。受信機器１０２は、「ＶｏＩＰ  受付」ボタンにより呼を受信する。
【０１２１】
一実施形態において、ＩＰアドレスを記憶する組み込み機能を有する、モバイルフォンの送受話器又はゲートウェイ（又はＭＰＳ）モバイルフォンに専用の呼び出し形式は、２２２２のように受信機器の番号である。この実施形態において、例えば、「ＶｏＩＰ  呼び出し」ボタンを押すことにより、受信機器の番号に発呼する。ＩＰアドレスは電話の内部に記憶されているので、ＩＰアドレスを明示的にタイプする必要がない。２２２２＠１６５．１１３．２２３．２等の間接ミーティングポイントチャネル（ＩＭＰＣ）は短い着信トーンの後自動的に確立されることができる。したがって、受信機器番号のみが使用者に知られている必要がある。
【０１２２】
一実施形態において、ゲートウェイＩＰアドレスを記憶する組み込み機能を有しないモバイルフォンの呼び出し形式は、２２２２＠１６５．１１３．２２３．２であってもよい。「ＶｏＩＰ  呼び出し」ボタンを押した後、システムは、２２２２という受信機器番号へ短い着信トーンを送信し、２２２２＠１６５．１１３．２２３．２としての間接ミーティングポイントチャネルを設定する。
【０１２３】
一実施形態において、２２２２＠１６５．１１３．２２３．２のチャネルは、２つの分離した項目として入力されてもよい。受信機器１０２の番号、例えば、２２２２は、番号フィールドに入力される。１６５．１１３．２２３．２等のＩＰアドレスは、例えば、ゲートウェイフィールドに入力する。この呼び出し形式は、ゲートウェイＩＰアドレスがインターネットのどこかである場合にも使用することができ、デフォルトのＩＰアドレス、例えば、１６５．１１３．２２３．２と異なる。このとき、ゲートウェイＩＰからデフォルトＩＰアドレスに変換する機能が提供されてもよい。
【０１２４】
モバイルフォンからの発呼は、デフォルトゲートウェイ又はデフォルトＩＰアドレスが全く使用できなくても行うことができる。そのかわり、ベースステーション１０６又はインターネットのＶｏＩＰを備えるどのＰＣもミーティングポイントサーバ１０８として使用することができる。その場合、発信機器１００は、受信機器１０２へ短い着信トーンを送信し、ミーティングポイントのＩＰアドレスを送信できるようになっていなければならない。これにより、間接ミーティングポイントチャネルが、デフォルトゲートウェイ無しに確立できる。
【０１２５】
ミーティングポイントサーバ１０８としてのデフォルトゲートウェイがあることにより、短い信号（あるいは着信トーン）がゲートウェイにより即座に一意的に送信される。デフォルトゲートウェイが無いと、発信機器１００は、受信機器１０２にミーティングポイントの情報を送信する必要があり、これはモバイルフォン内部のソフトウェアによりプログラム可能である。
【０１２６】
発信機器１００が受信機器１０２へ信号１１０を送信し、ミーティングポイントサーバ１０８にミーティングポイントチャネルが確立したことを示した後に、発信機器１００もミーティングポイントチャネルに接続する。
【０１２７】
一実施形態において、ミーティングポイントチャネルとゲートウェイはサーバで実現される。この実施形態においては、発信機器１００はサーバに接続し、サーバは受信機器１０２に信号１１０を送信し、ミーティングポイントサーバ１０８にミーティングポイントチャネルが確立したことを知らせる。一実施形態において、発信機器１００は、ミーティングポイントチャネルのアドレスに転送される。ミーティングポイントチャネルのアドレスは、上述したように、受信機器１０２の電話番号とミーティングポイントサーバ１０８のアドレスとの形式になっていてもよい。一実施形態において、ミーティングポイントサーバ１０８は、他のミーティングの当事者を待つ間、ミーティング当事者に音楽や他の娯楽を提供してもよい。
【０１２８】
発信機器１００と通信を行うために、信号１１０を受信した後、受信機器１０２もミーティングポイントサーバ１０８でのミーティングポイントチャネルに接続する。もし、受信機器１０２が発信機器１００よりも先にミーティングポイントに到達したときは、受信機器１０２は受信機器１０２を待ってもよい。一実施形態において、ミーティングポイントチャネルは、受信機器１０２に「所有」される。この実施形態では、ミーティングポイントチャネルの所有権を確立し、よりよい制御を提供し、混乱を避けることができる。
【０１２９】
一実施形態において、発信機器１００又は受信機器１０２は自身の番号を発呼することによりミーティングポイントサーバ１０８にミーティングポイントチャネルを設定してもよい。この実施形態において、ミーティングポイントサーバ１０８は、ミーティングポイントチャネルを発信機器１００又は受信機器１０２の電話番号にミーティングポイントサーバ１０８自身のアドレスを組み合わせた形式のアドレスでミーティングポイントチャネルを設定する。自身の電話番号を発呼してミーティングポイントチャネルを設定することを、「ホーム呼び出し」と称する場合がある。一実施形態において、発信機器１００又は受信機器１０２によりダイヤルされた番号は、プレフィックスとエクステンションを含む。
【０１３０】
一実施形態において、ホーム呼び出しは、国内的及び国際的に使用可能であり、発信者ＩＤの送信の方法が適合しないことによる障害を回避することができる。一実施形態において、ホーム呼び出しは、ショートメッセージサービス（ＳＭＳ）のメッセージのように、別の通知方法を取ることを不要とする。一実施形態において、ホーム呼び出しは、受信機器１０２にサービスを提供するネットワークと互換性のないものによりサービスが提供される発信機器１００に使用することができる。一実施形態において、例えば、信号１１０により、発信機器１００が受信機器１０２と互換性のないネットワークに接続されていても、受信機器１０２に、誰かが通信を待っていることを通知することができる。
【０１３１】
一実施形態において、信号１１０を送信した後、発信機器１００と受信機器１０２は、ミーティングポイントサーバ１０８の固定したミーティングポイントチャネルにて合意する。固定したミーティングポイントチャネルのアドレスは、ミーティングポイントサーバ１０８のＩＰアドレスの番号のように、一意の形式を有していてもよい。一実施形態において、通信に将来参加する者のおのおのが、固定したミーティングポイントチャネルのアドレスを知っていなければならない。
【０１３２】
別の一実施形態においては、信号１１０を送信した後、ミーティングポイントサーバ１０８は、発信機器１００と受信機器１０２との両方が空いているミーティングポイントチャネルに接続するように準備する。この実施形態において、ミーティングポイントサーバ１０８は、発信機器１００がミーティングポイントサーバ１０８に接続するとき発信機器１０２を空いているミーティングポイントチャネルに接続するよう転送を行う。この実施形態のために、ミーティングポイントサーバ１０８は、受信機器１０２の電話番号等の受信機器１０２の識別番号を知っている必要があり、ミーティングポイントサーバ１０８は、また、発信機器１００が待っている正しいミーティングポイントチャネルに受信機器１０２を転送することができる。
【０１３３】
別の一実施形態においては、置換番号は、ミーティングポイントサーバ１０８に登録された番号それぞれに関連づけられている。この実施形態において、信号１１０を送信した後、ミーティングポイントチャネルは、置換番号を受信機器１０２の番号に使用して生成される。信号１１０を受信した後は、受信機器１０２は、発信機器１００と出会って通信を行うために置換番号を呼び出す。この実施形態において、それぞれの機器は、置換番号と自身の電話番号の２つの番号を知っている必要がある。
【０１３４】
一実施形態において、ミーティングポイントチャネルの所有者、すなわち受信機器１０２は、いつでもミーティングポイントチャネルをクローズする権利を有していてもよい。別の一実施形態においては、ミーティングポイントチャネルの所有者、すなわち受信機器１０２は、通信を終了するためにミーティングポイントチャネルに接続している他の全ての機器に問合わせをするようになっていてもよい。
【０１３５】
別のものとして、受信機器１０２は、通信を切断してもよく、この場合には、発信機器１００と受信機器１０２との間にさらなる通信が発生しない場合である。さらに別のものとして、受信機器１０２は、別のミーティングポイントチャネルを反対の申し込みを行うことにより応答することもでき、その別のミーティングポイントチャネルに接続し、発信機器１００の応答を待つ。もし、発信機器１００がその反対の申し込みを受け入れて、その別のミーティングポイントチャネルに接続すると、受信機器１０２との通信がさらに始まる。
【０１３６】
トランシーバ１０４、ベースステーション１０６又はミーティングポイントサーバ１０８の全ては、受信機器１０２に受信される信号１１０を伝達することができる。信号１１０は、ＧＳＭネットワークにより生成された着信トーンであるか、又は、受信機器１０２が現在つながっているベースステーション、コンピュータ、公衆交換電話ネットワークゲートウェイ、モデム又は公衆交換電話ネットワークに使う交換機により生成されてもよい。
【０１３７】
もし、ミーティングポイントサーバ１０８が短い着信トーンを生成するために使用されるときには、着信トーンは、また、公衆交換電話ネットワークゲートウェイ、モデム又は公衆交換電話ネットワークに使う交換機にて生成されることができる。最後に、短い着信トーン信号は、間接通信システムに関連付けられたトランシーバ又はアンテナにより生成されることができる。
【０１３８】
図２に示されるように、間接通信システムに含まれるミーティングポイントサーバ２０６は、生成器２１４，送信機２１６、ミーティングポイントクリエータ２１８、ミーティングポイントチャネル２２０及び転送器２２２を含んでいてもよい。生成器２１４は、発信機器１００からの情報に応じて信号２１２を生成する。生成された信号２１２は、２つの着信トーン又は短い信号である。送信機２１６は、受信機器２０２に、発信機器２００からの情報に応じて通信が予見されることの通知をする通知機であり、ここに受信機器２０２は、モバイルフォンであってもよく、また、発信機器２００もモバイルフォンであってもよい。もし、発信機器２００がモバイルフォンであれば、発信機器２００は、通信が予見されることを受信機器２０２に通知するために生成された信号を使用することにより、通信料を減少するようにしてもよいが、実際の通信は他で行われる。
【０１３９】
ミーティングポイントクリエータ２１８は、発信機器２００からの情報の応答としてミーティングポイントチャネル２２０を生成する。ミーティングポイントチャネル２２０は、発信機器２００がミーティングポイントサーバ２０８との接続を確立した後に生成されてもよい。サーバのミーティングポイントチャネル２２０の確立により、発信機器２２０からの信号２１０と受信機器２０２からの信号２１２がミーティングポイントチャネル２２０で出会うことができ、ミーティングポイントチャネル２２０を介して発信機器２００と受信機器２０２との間の通信経路が形成される。
【０１４０】
しかし、通信は、発信機器２００から受信機器２０２へ直接行われないようになっていてもよい。発信機器２００と受信機器２０２は、むしろ、それぞれミーティングポイントチャネル２２０にて個々に通信を行い、ミーティングポイントチャネル２２０は、適切なあて先にそれのそれぞれの通信を転送する。したがって、無線よりもＶｏＩＰを用いるインターネットなどのミーティングポイントチャネル２２０を通して通信が行われるので、通信時間は減少するであろう。
【０１４１】
ミーティングポイントチャネル２２０は転送器２２２を含んでいてもよい。転送器は、発信機器２００からのボイスオーバインターネットのパケットに変換された音声を受信し受信機器２０２へボイスオーバインターネットのパケットを転送することができ、また逆もすることができる。ボイスオーバインターネットのパケットは、発信機器２００又は受信機器２０２のいずれかから直接ミーティングポイントチャネル２２０へ送信される。ＶｏＩＰパケットは、パケットのあて先アドレスを発信機器２００又は受信機器２０２のいずれかの適切なアドレスに変えてあて先の機器に転送される。発信機器２００と受信機器２０２との役割は逆にしても、一般性は失われない。
【０１４２】
別の一実施形態においては、図３Ａに示されるように、間接通信システムは、ミーティングポイントサーバ３０８ａを含み、ミーティングポイントサーバ３０８ａはベースステーション３０６ａと３０７ａとを介して発信機器３００ａ又は受信機器３０２ａからの通信を受信することができるようになっている。発信機器３００ａ若しくは受信機器３０２ａのいずれか又は両方は、モバイルフォンであってもよい。
【０１４３】
発信機器３００ａは、１１１１という電話番号を有していてもよい。発信機器３００アは受信機器３０２ａへ発呼し、受信機器３０２ａは２２２２という電話番号を有していてもよい。一実施形態においては、発信機器３００ａは、短い着信トーンの形式の信号３１２ａを送信することにより、受信機器３０２ａに発呼し、信号３１２ａは、発信機器３００ａの発信者番号などの通知も情報を含んでいなくてもよい。
【０１４４】
信号３１２ａを送信した後、発信機器３００ａはミーティングポイントサーバ３０８に接続し、ミーティングポイントサーバ３０８は、１６５．１１３．２２３．２等のＩＰアドレスを有していてもよい。ミーティングポイントサーバ３０８ａとの接続は、適切なベースステーション３０６ａを介してであってもよい。この実施形態においては、ミーティングポイントサーバ３０８は、動的に受信機器３０２ａとの通信チャネルを設定し発信機器をそのチャネルにおいて受信機器３０２ａを待ち状態としてもよい。ミーティングポイントチャネルは、２２２２＠１６５．１１３．２２３．２であってもよく、最初の２２２２という番号は、この場合、受信機器を特定するために使用してもよい。信号３１２ａから何の情報も利用できない場合、受信機器の番号は、接続を完了するために使用することができる。
【０１４５】
２２２２という電話番号の受信機器３０２ａが短い着信トーンを受信した後、受信機器３０２ａは、２２２２＠１６５．１１３．２２３．２等の自身の番号で発呼してもよい。受信機器を用いて直接この呼をダイヤルすることにより、受信機器がミーティングポイントサーバ３０８ａに接続され、２２２２＠１６５．１１３．２２３．２というミーティングポイントチャネルへ転送がされ、発信機器３００ａとの通信が始まる。自身の番号をダイヤルすることはホーム呼び出しと称する。この実施形態においては、受信機器３０２ａはちょうど、家に行って誰かと会うかのようである。
【０１４６】
別の一実施形態においては、発信機器３００ａは、直接２２２２＠１６５．１１３．２２３．２をダイヤルして受信機器に発呼する。このアクションにより、発信機器は、１６５．１１３．２２３．２というＩＰアドレスを特定してミーティングポイントサーバ３０８ａに接続する。サーバ３０８ａは、そして、２２２２という番号の受信機器３０２ａに信号３１２ａを送信してもよい。信号を送信した後、サーバ３０８ａは、２２２２＠１６５．１１３．２２３．２というミーティングポイントを生成し、受信機器がホーム呼び出しを行うのを待って受信機器をこのチャネルに入れる。
【０１４７】
ベースステーション３０７のネットワークによっては、あるいは、発信機器３００ａは音声データを取得して、それを「発信ＶｏＩＰパケット」に変換してもよい。この実施形態において、ベースステーション３０７ａによる処理は、単にパケットをミーティングポイントサーバ内のミーティングポイントチャネルへ通過させることである。
【０１４８】
別の一実施形態においては、発信と受信との両方の機器が、パラメータ又は組み込み機能としてミーティングポイントサーバ３０８ａのＩＰアドレスを蓄積している時、ホーム呼び出しの操作はその機器で自身の番号をダイヤルするのと同じである。
【０１４９】
別の一実施形態においては、受信機器２２２２は、サーバ３０８ａの内部に２２２２＠１６５．１１３．２２３．２というミーティングポイントチャネルを所有していてもよい。ミーティングポイントの所有を確立することにより、ミーティングチャネルをいつでもクローズしチャネルの内の人々の通信を終了させるなどの管理作業を所有者が行うことができるようになっていてもよい。
【０１５０】
別の一実施形態においては、図３Ｂに示されるように、間接通信システムは、ミーティングポイントサーバ３０８を含んでいてもよく、ミーティングポイントサーバ３０８は、ベースステーション３０６及び３０７を介して発信機器３００又は受信機器３０２から通信を受信できるようになっている。発信機器３００又は受信機器３０２のいずれか、あるいは、両方は、モバイルフォンであってもよい。
【０１５１】
発信機器３００と受信機器３０２との両方は、信号３１２が発信機器３００から受信機器３０２に送信された後に、ミーティングポイントサーバ３０８に接続してもよい。この実施形態においては、信号３１２は、発信機器３００の発信者ＩＤ、ミーティングポイントサーバ３０８若しくは別のミーティングポイントのアドレス又はコールバックの番号などの通知若しくは情報を含んでいてもよい。
【０１５２】
発信機器３００と受信機器３０２とがミーティングポイントサーバ３０８に接続した後、発信機器３００と受信機器３０２とは、対向する者へ向けられた情報をミーティングポイントサーバ３０８へ送信することを開始してもよい。すると、ミーティングポイントサーバ３０８は、発信機器２００又は受信機器３０２のそれぞれに通信を転送してもよい。したがって、発信機器３００と受信機器３０２との両方が互いにミーティングポイントサーバ３０８を通じてＶｏＩＰで通信することができ、通信時間を減少させることができ、これにより、通信のコストを下げ、電話通信の品質を上げることができる。
【０１５３】
一実施形態において、転送は、次のように行われる。発信機器３００が、受信機器３０２に短い着信トーンを送信し、ベースステーション３０６に接続する。ベースステーション３０６は、ＢＳ１_ＩＰ等のＩＰアドレスを有していてもよい。ＢＳ１_ＩＰというアドレスの詳細は、発信機器３００がベースステーション３０６に接続するときに発信機器３００により知られているようになっていてもよい。短い着信トーンを受信した後、受信機器３０２は、ベースステーション３０７に接続する。ベースステーション３０７は、ＢＳ２_ＩＰ等のＩＰアドレスを有していてもよい。
【０１５４】
ミーティングポイントサーバ３０８は、１６５．１１３．２２３．２等のＩＰアドレスにてインターネット上に配置されていてもよい。ミーティングポイントサーバ３０８のＩＰアドレスは、発信機器３００若しくはベースステーション３０６又は両方に知られていてもよい。発信機器３００は、ＢＳ１_ＩＰというＩＰアドレスでベースステーション３０６に接続する。ＢＳ１_ＩＰというＩＰアドレスのベースステーション３０６は、発信機器３００から音声データを取得し、それを「発信ＶｏＩＰパケット」に変換する。発信ＩＰパケットは、ヘッダを有し、それにしたがって発信ＩＰパケットはＢＳ１_ＩＰというＩＰアドレスのベースステーション３０６からミーティングポイントサーバ３０８のＩＰアドレス（例えば、１６５．１１３．２２３．２）へ送信される。ＢＳ１_ＩＰというＩＰアドレスのベースステーション３０６は、ミーティングポイントサーバ３０８へこのパケットを送信する。
【０１５５】
ＢＳ１_ＩＰというＩＰアドレスのベースステーション３０６からの発信パケットがミーティングポイントサーバ３０８に到達するとき、ミーティングポイントサーバ３０８は、ＩＰパケットのヘッダのあて先のアドレスを変える。ミーティングポイントサーバ３０８は、１６５．１１３．２２３．２というミーティングポイントサーバ３０８のあて先アドレスから、ＢＳ２_ＩＰという、受信機器３０２と関連付けられたベースステーション３０７のＩＰアドレスに変える。ミーティングポイントサーバ３０８は、そしてベースステーション３０７へＩＰパケットを送信する。
【０１５６】
ＢＳ２_ＩＰというアドレスのベースステーション３０７がパケットを受信するとき、それは到着ＶｏＩＰパケットと考えて音声コンテンツを受信機器３０２に転送する。このようにして、発信機器３００から受信機器３０２への通信が確立する。同様に、受信機器３０２から発信機器３００への、すなわち逆方向の通信が、ミーティングポイントサーバ３０８のアドレスである１６５．１１３．２２３．２から受信機器３００に関連付けられたベースステーション３０６のＩＰアドレスであるＢＳ１_ＩＰにそれぞれのＩＰパケットのあて先アドレスを変えることにより、確立することができる。発信機器３００と受信機器３０２との役割が決められていても、一般性を失わない。
【０１５７】
図４に示すように、間接通信システムに含まれるミーティングポイントサーバ４０８は、生成器４１４、送信器４１６、ミーティングポイントクリエータ４１８、ミーティングポイントチャネル４２０と転送器４２２を含んでいてもよい。生成器４１４は、発信機器３００からの情報に応じて信号を生成する。生成された信号は、２つの着信トーン又は短い信号である。送信器４１６は、発信機器からの情報に応じて通信が予見されることを受信機器に通知する通知器である。したがって、もし発信機器がモバイルフォンであれば、発信機器は生成された信号を通信が予見されることを受信機器に通知するために使用することにより通信料を減少させることができる。
【０１５８】
ミーティングポイントクリエータ４１８は、発信機器からの情報に応じてミーティングポイントチャネル４２０を生成する。ミーティングポイントチャネル４２０は、発信機器がミーティングポイントサーバ４０８との接続を確立した後に生成されてもよい。ミーティングポイントサーバ４０８にミーティングポイントチャネル４２０が確立することにより、発信機器と受信機器とが、通信時間をさらに使わずに、ミーティングポイントチャネル４２０で出会って通信を行うことができる。
【０１５９】
図５には、発信機器５００と受信機器５０２とをまた含む間接通信システムに含まれるベースステーション５０６が示されており、他の機器と同様に、発信機器５００はモバイルフォンであってもよく、受信機器５０２もモバイルフォンであってもよい。ベースステーション５０６は、トランシーバを有するコンピュータであってもよく、発信機器５００又は受信機器５０２のいずれかへの接続には、ＶｏＩＰ機能、公衆交換電話ネットワーク、モデム、及び／又は、公衆交換電話ネットワークへつなぐ交換機を備えている。ベースステーション５０６は、信号５１２を、発信機器５００から情報を受信すると、送信することができるようになっている。信号５１２は、通信が予見されることを受信機器５０２に通知することができるようになっている。発信機器５００及び受信機器５０２の役割は決められていても、一般性を失わない。
【０１６０】
図６には、発信機器６００と受信機器６０２とをも含む間接通信システムに含まれるトランシーバ６０４が示されており、他の機器と同様に、発信機器６００はモバイルフォンであってもよく、受信機器５０２もモバイルフォンであってもよい。トランシーバ６０４は、アンテナにより表現されているが、発信機器６００からの情報があると直ちに信号６１２を送信することができるようになっている。信号６１２は、受信機器６０２にブロードキャストを介して通信が予見されることを通知することができるようになっている。発信機器６００と受信機器６０２との役割は決められていても、一般性を失わない。
【０１６１】
図７には、発信機器７００と受信機器７０２とをも含む間接通信システムに含まれるミーティングポイントサーバ７０８が示されており、他の機器と同様に、発信機器７００はモバイルフォンであってもよく、受信機器７０２もモバイルフォンであってもよい。ミーティングポイントサーバ７０８は、例えばインターネット上のコンピュータであり、アドレス又はドメイン名を有しており、又は、ベースステーションである。アドレスは、ベースステーションのアドレスと混乱しないように固定されていてもよい。あるいは、ミーティングポイントサーバ７０８のドメイン名は、一定に保たれ、アドレスは、変化してもよいようになっている。
【０１６２】
ミーティングポイントサーバ７０８は、また、公衆交換電話ネットワークゲートウェイ、モデム、及び／又は、ミーティングポイントサーバ７０８に関連する交換機を備えていてもよい。ミーティングポイントサーバ７０８は、信号７１２を送信できるようになっている。信号７１２は、通信が予見されることを受信機器７０２に通知することができるようになっている。ミーティングポイントサーバ７０８は、発信機器７００からそこに送信されたパケットを受信機器７０２に転送し、また逆も行う。発信機器７００及び受信機器７０２の役割は決められていても、一般性を失わない。
【０１６３】
図８には、受信機器８０２をも含む間接通信システムに含まれ発信機器８００が示されており、他の機器と同様に、受信機器８０２もモバイルフォンであってもよい。発信機器８００は、信号８１２を生成することができる。生成された信号８１２は、モバイル通信のための大域システム（ＧＳＭ）ネットワークを介して受信される。発信機器８００は、直接又はベースステーション若しくは公衆交換電話ネットワークを介して、短い、２つの、信号を送信し、インターネットに接続し、及び、ミーティングポイントチャネルを設定するためのハードウェア若しくはソフトウェアが備えていてもよい。
【０１６４】
ソフトウェアは、発信機器８００及び受信機器８０２へ携帯電話ネットワークを介してダウンロードすることができ、ここに発信機器８００及び受信機器８０２はモバイルフォンであってもよい。この場合、発信機器８００及び受信機器８０２は、ソフトウェアをダウンロードするための第三者によりプログラムされコントロールされるようになっていてもよい。ソフトウェアは、メニュー、インターフェース、ラジオボックス、チェックボックス及びオプションの押しボタンを含んでいてもよい。発信機器８００及び受信機器８０２はまた、短い２つの信号を携帯電話ネットワークに送信した後、ミーティングポイントチャネルへ切り替えるためのスイッチを有していてもよい。
【０１６５】
発信機器８００及び受信機器８０２は、デフォルトゲートウェイなどのミーティングポイントサーバのアドレスを蓄積する組み込み機能を有していてもよい。その場合、アドレスを明示的にタイプする必要がない。唯一、受信機器８０２の電話番号が、ミーティングポイントサーバのアドレスを形成するために必要である。発信機器８００及び受信機器８０２の役割は決められていても、一般性を失わない。
【０１６６】
図９に示されるように、ミーティングポイントサーバ９０８は、ミーティングポイントチャネルを含む。発信機器９００は、受信機器への呼び出しを設定するためにミーティングポイントサーバ９０８を呼び出し、ここに発信機器９００は、モバイルフォンであってよく、受信機器もモバイルフォンであってもよい。ミーティングポイントサーバ９０８は、複数の通信のために複数のミーティングポイントチャネル９２０を有していてもよい。ミーティングポイントチャネル９２０は、受信機器のアドレス及びインターネットプロトコルアドレス又はドメインネームシステム名の何れかにより特定される。典型的なミーティングポイントチャネル９２０を特定するチャネルは、電子メールアドレスの形式である。
【０１６７】
もし、受信機器の電話番号が２２２２２であり、インターネットプロトコルアドレスが１６５．１１３．２２３．２であるか又はドメインネームシステム名がｗｗｗ．ｍｐｓ_ＶｏＩＰ．ｃｏｍであれば、チャネルロケーションは２２２２２＠１６５．１１３．２２３．２又は２２２２２＠ｗｗｗ．ｍｐｓ_ＶｏＩＰ．ｃｏｍとなる。したがって、受信機器は、ミーティングポイントサーバ９０８に接続した後、チャネル９２０に接続するために必要な情報を有し、ミーティングポイントサーバは、発信機器９００への呼び出しを完了することになる。
【０１６８】
図１０には、ミーティングポイントチャネル１０２０を有するミーティングポイントサーバ１００８が示されている。ミーティングポイントチャネル１０２０がミーティングポイントサーバ１００８に作られた後、発信機器１０００及び受信機器１００２がミーティングポイントチャネル１０２０にて出会い、ここに発信機器１０００は、モバイルフォンであってもよく、及び受信機器１００２も、モバイルフォンであってもよい。発信機器１０００及び受信機器１００２の役割は決められていても、一般性を失わない。
【０１６９】
図１１には、ミーティングポイントクリエータ１１１８及び別のミーティングポイントチャネル１１２０を含むミーティングポイントサーバ１１０８が示されている。別のミーティングチャネル１１２０は、受信機器１０２が「別のミーティングポイントロケーション」を選択すると作られる。ミーティングポイントクリエータ１１１８は、別のミーティングポイントチャネル１１２０を作る。時として、別のミーティングポイントチャネル１１２０は、インターネット上のどこか別のミーティングポイントサーバに作られてもよい。
【０１７０】
別のミーティングポイントチャネル１１２０は、発信機器１１００及び受信機器１１０２から接続を受け、ここに、発信機器１１００はモバイルフォンであってもよく、受信機器１１０２もモバイルフォンであってもよい。したがって、別のミーティングポイントチャネル１１２０の利点は、通信が、ミーティングポイントサーバ１１０８内のどのチャネルでも確立することができることである。発信機器１１００及び受信機器１１０２の役割は決められていても、一般性を失わない。
【０１７１】
別の一実施形態においては、図１２に示すように、間接通信システムは、専用のミーティングポイントサーバ１２０８を含む。ミーティングポイントサーバ１２０８は、ＶｏＩＰ機能を有するパーソナルコンピュータ１２００から情報を受信することができるようになっている。受信される情報は、受信機器１２０２及びゲートウェイフィールドにおいて、例えば８８．１６９．１１．１等のインターネットプロトコルアドレスを含み、ここに受信機器１２０２はモバイルフォンであってもよい。専用のミーティングポイントサーバ１２０８を有することにより、ミーティングポイントサーバ１２０８は、２つの着信トーン又は短い信号１２１２を送信することができるようになる。
【０１７２】
コンピュータ１２００は、ミーティングポイントサーバ１２０８内のミーティングポイントチャネル１２２０に受信機器１２０２が接続するのを待ってもよい。ミーティングポイントサーバ１２０８は、また、ベースステーション１２０６を介して受信機器１２０２から接続を受信できるようになっている。ベースステーション１２０６は、受信機器１２０２に最も近いベースステーションである。コンピュータ１２００は、したがって、別のモバイルフォンとＶｏＩＰを使用して通信を行うことができ、受信機器がどこに位置しているかを実際に知る必要がない。
【０１７３】
別の一実施形態においては、図１３に示すように、間接通信システムはミーティングポイントサーバ１３０８を含む。ミーティングポイントサーバ１３０８は、ミーティングポイントサーバ１３０８にＶｏＩＰ機能を有するコンピュータ１３０２へ接続するよう命令するベースステーション１３０６を介して、発信機器１３００から情報を受信できるようになっており、発信機器１３００は、モバイルフォンであってもよい。この情報は、コンピュータ１３０２及びミーティングポイントサーバ１３０８のアドレスを含む。ミーティングポイントサーバ１３０８は、ミーティングポイントチャネル１３２０がコンピュータ１３０２のアドレス及びミーティングポイントサーバ１３０８のアドレスにより識別できるようにする。
【０１７４】
もし、例えば、コンピュータ１３０２のアドレスが６６．１６８．１００．２であり、ミーティングポイントサーバ１３０８のアドレスが２５０．１９．２．１０であれば、ミーティングポイントチャネルのアドレスは、６６．１６８．１００．２＠２５０．１９．２．１０になる。一実施形態においては、コンピュータ１３０２は、ミーティングポイントでもあり得るようになっている。この場合、発信機器１３００は、受信コンピュータ１３０２のアドレスを入力し、発信機器１３００がコンピュータ１３０２へベースステーションを介して直接接続できるようになる。
【０１７５】
ブロードバンド及びＶｏＩＰを備えるＰＣは、発信機器１３００からも呼び出されるようになっていてもよい。直接ＶｏＩＰ呼び出しをする場合、６６．１６８．１００．２等の受信コンピュータ１３０２のＩＰアドレスは、発信機器１３００にて入力される。この場合、ミーティングポイントは、受信コンピュータ（すなわち６６．１６８．１００．２）にある。
【０１７６】
あるいは、ミーティングポイントサーバ１３０８を介して呼び出す場合には、６６．１６８．１００．２等の受信コンピュータ１３０２のＩＰアドレス又は１６５．１１３．２２３．２等のミーティングポイントサーバ１３０８のＩＰアドレスが入力されるようにすることができる。別の一実施形態においては、ミーティングポイントサーバ１３０８のＩＰアドレスは、専用のＭＰＳ又はＶｏＩＰを備える他の如何なるＰＣとすることもできる。また、アプリケーションの観点からは、ＶｏＩＰを備えるＰＣはＳＩＰフォンと同等であり、この節での通信フォーマットはまた、ＳＩＰフォンに応用できる。
【０１７７】
別の一実施形態においては、図１４に示すように、間接通信システムは、ミーティングポイントサーバ１４０８を用いてモデムを備える発信コンピュータ１４００と受信機器１４０２との間の接続を確立し、ここに受信機器１４０２は、モバイルフォンであってもよい。ミーティングポイントサーバ１４０８は、モデムを有する発信コンピュータ１４００から、受信機器１４０２に通信が予見されることを通知する情報を受信する。情報は、受信機器１４０２の電話番号及びミーティングポイントサーバ１４０８のアドレスを含む。
【０１７８】
ミーティングポイントサーバ１４０８は、生成された信号１４１２を受信機器１４０２に送信する。ミーティングポイントサーバ１４０８は、受信機器１４０２の電話番号及びミーティングポイントサーバ１４０８のアドレスに基づいてミーティングポイントチャネル１４２０を生成する。発信コンピュータ１４００は、ミーティングポイントサーバ１４０８への接続が確立した後、受信機器１４０２がミーティングポイントサーバ１４０８に接続するまで待つ。ミーティングポイントサーバ１４０８は、発信コンピュータ１４００からミーティングポイントサーバ１４０８に向けられたＶｏＩＰパケットを受信し、受信機器１４０２へＶｏＩＰパケットを転送することができるようになっている。したがって、システムは、モバイルフォンがインターネット上の別の機器と通信ができるようにしつつ費用の節約と通話品質を保つことができる。
【０１７９】
一実施形態において、モバイルフォンは、ＰＣから呼び出されるようになっていてもよく、ＰＣはブロードバンドとＶｏＩＰを備えていてもよい。この実施形態においては、ＶｏＩＰクライアント（ソフトウェア）が、起動され、２２２２等の受信機器の番号がミーティングポイントサーバ（ＭＰＳ）の８８．１９２．１６８．１１．１等のＩＰアドレスとともに入力される。ＩＴＵ  Ｈ．３２３標準で特定される多くのＶｏＩＰソフトウェアクライアントは、電話番号及びゲートウェイアドレスのフィールドを有する。もし、ＭＰＳが専用のＭＰＳであれば、ＭＰＳは短い着信トーンを生成し受信機器からの接続を待つことができる。
【０１８０】
別の一実施形態においては、図１５に示すように、間接通信システムは、信号１５１２を送信しミーティングポイントチャネル１５２０を生成することができるようになっているミーティングポイントサーバ１５０８を含む。信号１５１２は、ミーティングポイントサーバ１５０８がベースステーション１５０６を介して発信機器１５００から情報を受信する時に生成され、ここに発信機器１５０６はモバイルフォンであってもよい。情報は、受信コンピュータ１５０２及びミーティングポイントサーバ１５０８のアドレスを含み、受信コンピュータ１５０２はモデムを有する。
【０１８１】
ミーティングポイントサーバ１５０８は、生成された信号を受信コンピュータ１５０２へ送信する。ミーティングポイントチャネル１５２０は、ミーティングポイントサーバ１５０８の中にあり、ベースステーション１５０６からのＶｏＩＰパケットを受信できるようになっている。ベースステーション１５０６は、発信機器１５００から受信される音声データをＶｏＩＰパケットへ変換する。ミーティングポイントサーバ１５０８は、ミーティングポイントサーバ１５０８へ向けられたＶｏＩＰパケットを、モデム１５０１を備える受信コンピュータ１５０２へ転送する。
【０１８２】
別の一実施形態においては、図１６に示すように、間接通信システムは、ＰＳＴＮゲートウェイ１６３０を含むミーティングポイントサーバ１６０８を含む。ミーティングポイントサーバ１６０８は、ＰＳＴＮゲートウェイ１６３０を介して公衆回線電話ネットワークを使用する電話機１６００等の発信機器からの通信を受信できるようになっている。ミーティングポイントサーバ１６０８はまた、ベースステーション１６０６を介して、受信機器１６０２からの通信を受信できるようになっており、ここに受信機器１６０２は、モバイルフォンであってもよい。ミーティングポイントサーバ１６０８はまた、電話機１６００からの情報を受信するとＰＳＴＮゲートウェイ１６３０を介して公衆交換電話ネットワークを使用する電話機１６００から受信機器１６０２へ信号を送信できるようになっている。情報は、受信機器１６０２の電話番号及びミーティングポイントサーバ１６０８のアドレスを含む。
【０１８３】
ミーティングポイントサーバ１６０８は、ミーティングポイントチャネル１６２０を生成する。受信機器１６０２の電話番号とミーティングポイントサーバのアドレスはミーティングポイントチャネル１６２０を特定するために組み合わされる。ミーティングポイントチャネル１６２０はＶｏＩＰパケットを受信できるようになっており、そのＶｏＩＰパケットは、ＰＳＴＮゲートウェイにてＰＳＴＮライン１６０１を使って発信機器から受信されたときに変換されたものである。ミーティングポイントチャネル１６２０は、最も近くのベースステーション１６０６へ、またベースステーション１６０６から受信機器１６０２へＶｏＩＰパケットを転送できるようになっている。したがって、公衆交換電話ネットワーク線を用いる電話機１６００は、受信機器１６０２を呼び出すことができ、これにより、モバイルフォンが低コストの通信を受けることができ、品質のある電話呼び出しを受けることができる。
【０１８４】
一実施形態においては、公衆交換電話ネットワーク線（通常の電話線）に例えばモデムを用いて接続されたパーソナルコンピュータ（ＰＣ）は、ダイヤルアップネットワークを通じてインターネット接続をするために使用できる。この実施形態においては、ＰＣは、モデムを通じてインターネットサービスプロバイダ（ＩＳＰ）へ番号をダイヤルする。ＩＳＰは、公衆交換電話ネットワーク線を介してＰＣへインターネットアクセスを提供する。インターネットに接続すると、ＶｏＩＰソフトウェアクライアントは、モバイルフォンを呼び出すために使用することができる。このプロセスは、ＰＣ（ブロードバンドとＶｏＩＰを備えている）からモバイルフォンへの呼び出しと同じである。
【０１８５】
別の一実施形態においては、公衆交換電話ネットワーク線に接続されダイヤルアップネットワークを備えたコンピュータは、モバイルフォンから呼び出されてもよい。まず、モバイルフォンが１２３４５６＠１６５．１１３．２２３．２等の呼び出し形式を作成し、ここに１２３４５６は公衆交換電話ネットワークの電話番号である。ＭＰＳは、短い信号をモデムに送信し、通信を終了する。特定のソフトウェアを備えたモデムは、ＰＣをアクティベートしインターネットとＭＳＰに接続させ、ＶｏＩＰを使った会話を可能にする。
【０１８６】
別の一実施形態においては、モバイルフォンは、直接インターネットアクセスができない公衆交換電話ネットワーク等の単独の公衆交換電話ネットワークから呼び出されてもよい。この実施形態においては、公衆交換電話ネットワークゲートウェイはＭＰＳの内部にインストールされていてもよい。例えば、もし公衆交換電話ネットワークゲートウェイの電話番号が４６４５３０であり、モバイルフォンの番号が例えば２２２２であれば、最初の番号は電話機１２３４５６とＭＰＳ（すなわち、４６４５３０）内部の公衆交換電話ネットワークゲートウェイとの接続を形成するために使用することができる。一旦ＭＰＳに接続すると、ＭＰＳは短い信号をモバイルフォンに生成し、２２２２＠１６５．１１３．２２３．２のミーティングポイントチャネルを生成することによりモバイルフォンと最終的な接続を行う。
【０１８７】
別の一実施形態においては、直接インターネットアクセスができない公衆交換電話ネットワーク等の単独の公衆交換電話ネットワークは、モバイルフォンから呼び出されることができる。この実施形態においては、公衆交換電話ネットワークゲートウェイは、４５４５３０という番号を有するＭＰＳの内部にインストールされていてもよい。モバイルフォン（番号２２２２）は、ＭＰＳ及び公衆交換電話ネットワークゲートウェイを通じて単独の公衆交換電話ネットワークに呼び出しを行うことができる。まず、単独の公衆交換電話ネットワークの番号、例えば１２３４５６、が入力され、「ＰＳＴＮ呼び出し」ボタン又は同様の選択が押下される。モバイルフォンは、ＭＰＳに接続し２２２２＠１６５．１１３．２２３．２等のミーティングポイントチャネルを形成する。番号１２３４５６を入力し「ＰＳＴＮ呼び出し」を押下し、モバイルフォンは、ＭＰＳ及び公衆交換電話ネットワークゲートウェイに１２３４５６をダイヤルアウトするように命令する。
【０１８８】
別の一実施形態においては、図１７に示すように間接通信システムは、一時的なミーティングポイントチャネル１７２０を有するミーティングポイントサーバ１７０８を含む。ミーティングポイントサーバ１７０８は、ＰＳＴＮゲートウェイ１７３０及びＰＳＴＮ線１７１２により電話機１７０２に接続されている。ミーティングポイントサーバ１７０８は、ベースステーションを介した発信機器１７００と、ＰＳＴＮ線１７１２を使用する電話機１７０２と、の間の接続をサポートできるようになっており、ここに発信機器１７００は、モバイルフォンであってもよい。
【０１８９】
ミーティングポイントサーバ１７０８は、発信機器１７００からベースステーション１７０６を介して情報を受信した後、信号を生成し電話機１７０２へ送信する。その情報は、電話機１７０２の電話番号及びミーティングポイントサーバ１７０８のアドレスの組み合わせの形式のミーティングポイントチャネル１７２０のアドレスを含む。ミーティングポイントチャネル１７２０は、ＶｏＩＰパケットを受信することができるようになっており、そのＶｏＩＰパケットは、ベースステーション１７０６にて音声データが発信機器１７００から受信されたときに変換されたものである。ミーティングポイントチャネル１７２０は、また、ＶｏＩＰパケットをＰＳＴＮゲートウェイ１７３０に転送できるようになっている。ＰＳＴＮゲートウェイ１７３０は、ＶｏＩＰソフトウェアを使用してパケットを音声データに変換し電話機１７０２へ送信する。
【０１９０】
別の一実施形態においては、図１８に示すように、間接通信システムは、発信ＶｏＩＰパケットを受信し発信ＶｏＩＰパケットを転送できるようになっているミーティングポイントサーバ１８０８を含む。受信された発信ＶｏＩＰパケットは、発信機器１８００のベースステーション１８０６から受信され、ここに発信機器１８００はモバイルフォンであってもよい。受信の発信ＶｏＩＰパケットは、ＩＰヘッダを含む。ＩＰヘッダは、あて先アドレス及び送信元アドレスを含む。あて先アドレスは、ミーティングポイントサーバ１６０８のアドレスである。送信元アドレスは、発信機器１８００のベースステーションのアドレスである。
【０１９１】
ミーティングポイントサーバ１８０８は、あて先アドレスをミーティングポイントサーバ１８０８のアドレスから受信機器１８０２のベースステーション１８０７のアドレスに変えることにより、バケットを受信機器１８０２のベースステーション１８０７へ転送し、受信機器１８０２もモバイルフォンであってもよい。ミーティングポイントサーバ１８０８はまた、送信元アドレスを発信機器１８００のベースステーション１８０６のアドレスからミーティングポイントサーバ１８０８のアドレスに変える。この実施形態によれば、モバイルフォンがインターネットを使用するいかなる機器とも通信できる。発信機器１８００と受信機器１８０２との役割は決められていても、一般性を失わない。
【０１９２】
図１９には、間接通信方法の処理チャートが示されている。動作１９００において、処理が開始する。動作１９０２において、信号が受信機器に送信され、受信機器に今後を通知する。動作１９０４において、発信機器はミーティングポイントサーバに接続する。動作１９０６において、ミーティングポイントサーバは、間接ミーティングポイントチャネルを生成する。動作１９０８において、受信機器は、間接ミーティングポイントサーバに接続する。動作１９１０において、発信機器から受信されたパケットは、ミーティングポイントチャネルにて受信機器へ転送される。動作１９１２において、処理が終了する。
【０１９３】
図２０には、間接通信方法の一実施形態に用いるためのアドレス生成の処理チャートが示されている。動作２０００において、処理が開始する。動作２００２において、ミーティングポイントサーバの公衆交換電話ネットワーク番号が入力される。動作２００４において、モバイル機器の番号が入力される。動作２００６において、ミーティングポイントサーバは、モバイル機器の番号を受信する。動作２００８において、ミーティングポイントサーバは、短い２つの着信トーン、サーバのアドレス及びモバイルフォンの番号を含む信号を生成する。動作２０１０において、モバイル機器は、信号を受信する。動作２０１２において、モバイル受信機器は、ミーティングポイントサーバに接続する。動作２０１４において、ミーティングポイントサーバは発信機器から受信されたパケットを受信機器へ転送する。動作２０１６において、処理が終了する。
【０１９４】
図２１には、間接通信方法の一実施形態に用いるためのパケットの転送の処理が示されている。動作２１００において、処理が開始する。動作２１０２において、ミーティングポイントサーバは、発信機器から到着するパケットを受信する。動作２１０４において、ミーティングポイントサーバは、到着パケットを、あて先アドレスを受信機器のアドレスに置換し送信元アドレスをミーティングポイントサーバのアドレスに置換することにより、発信パケットに変換する。動作２１０６において、ミーティングポイントサーバは、発信機器から受信された発信パケットを受信機器へ送信する。動作２１０８において、処理が終了する。
【０１９５】
図２２には、間接通信方法の一実施形態に用いるためのミーティングポイントチャネルを設定する処理が示されている。動作２２００において、処理が開始する。動作２２０２において、ミーティングポイントサーバは、受信機器の番号及びＶｏＩＰ呼び出しを受信する。動作２２０４において、ミーティングポイントサーバは、ミーティングポイントチャネルを設定する。動作２２０８において、ミーティングポイントサーバは、受信機器の番号及びミーティングポイントサーバのアドレスから構成されるミーティングポイントチャネルのアドレスをする。動作２２１０において、処理が終了する。
【０１９６】
図２３には、間接通信方法の一実施形態に用いるための電話呼び出しを設定する処理が示されている。動作２３００において、処理が開始する。動作２３０２において、ＶｏＩＰ呼び出しボタンが発信機器で押下される。動作２３０３において、発信機器がサーバに接続する。動作２３０４において、発信機器が受信機器へ信号を送信する。動作２３０６において、受信機器が話中でなければ、受信機器は、呼び出しを拒否するか、呼び出しを受け入れるか、別のミーティングポイントを逆に提案するかのいずれかを行う。動作２３０８において、受信機器は、拒否する。動作２３１０において、受信機器は、受け入れ、ミーティングポイントサーバに接続する。動作２３１２において、受信機器は、別のミーティングポイントを逆に提案し、別のミーティングポイントに接続する。動作２３１４において、動作２３０８の拒否メッセージがミーティングポイントサーバに送信される。動作２３１６において、処理が終了する。
【０１９７】
図２４には、発信機器２４００と複数の受信機器２４０２との接続を、会議通話の間などに、サポートすることができるようになっているミーティングポイントサーバ２４０８が示されている。この場合、ミーティングポイントサーバ２４０８は、ミーティングポイントチャネル２４２０の内部で発信機器２４００から受信されたパケットそれぞれをコピーし、コピーをミーティングポイントチャネル２４２０に接続されている個々の受信機器２４０２へ転送する。
【０１９８】
受信機器２４０２のそれぞれは、短い２つのトーン信号を受信するが、その短い２つのトーン信号に応答せずあるいは直ちに通信を終了しミーティングポイントサーバ２４０８に接続する。このようにして、受信機器２４０２のそれぞれは、発信機器２４００から受信する。モバイルフォンは、会議通話が既に進行しているときも会議通話に参加することができる。これは、ミーティングポイントチャネル又は主催者モバイルフォンと接続を行うことで実行できる。通常の状況では、ミーティングポイントチャネルが「２２２２＠１６５．１１３．２２３．２」であれば、主催者モバイルフォンの番号は２２２２である。したがって、本実施形態の利点は、間接通信システムにより、如何なるモバイル機器も複数の機器と、ボイスオーバインターネットプロトコル（ＶｏＩＰ）によりなどして、ミーティングポイントサーバ２４０８を通じて通信し、無線通信の使用を避けることができる。
【０１９９】
図２５には、複数の発信機器２５００と複数の受信機器２５０２との接続を、会議通話の間などに、サポートすることができるようになっているミーティングポイントサーバ２５０８が示されている。この場合、ミーティングポイントサーバ２５０８は、ミーティングポイントチャネル２５２０内部で発信機器２５００のそれぞれから受信されたそれぞれのパケットをコピーして、ミーティングポイントチャネル２５２０にてコピーを個々の受信機器２５０２に転送する。ミーティングポイントサーバ２５０８は、さらに、複数のミーティングポイントチャネル２５２０をサポートすることができる。ミーティングポイントチャネル２５２０のぞれぞれは、そして、複数の、発信機器２５００又は受信機器２５０２をサポートできる。発信機器２５００及び受信機器２５０２は、同様に動作し、ただミーティングポイントサーバ２５０８から又はミーティングポイントサーバ２５０８への通信の流れが異なる。
【０２００】
受信機器２５０２のそれぞれは、短い２つのトーン信号を受信するが、その短い２つのトーン信号に応答せずあるいは直ちに通信を終了しミーティングポイントサーバ２５０８に接続する。このようにして、受信機器２５０２のそれぞれは、発信機器２５００から受信する。したがって、本実施形態の利点は、間接通信システムにより、如何なるモバイル機器も複数の機器と、ボイスオーバインターネットプロトコル（ＶｏＩＰ）によるなどして、ミーティングポイントサーバ２５０８を通じて通信し、無線通信の使用を避けることができる。
【０２０１】
一実施形態において、間接通信システムは、専用ハードウェアのモバイルフォンを製造することにより実現される。このようにして、次の新しい機能が、既存のモバイルの特徴とともに追加できる：ＷｉＭＡＸなどの無線媒体と互換性のあるＲＦの送受信、受信機器（モバイルフォン）への間接的な呼び出し音の生成、インターネットにＶｏＩＰを備えるミーティングポイントチャネル（すなわちミーティングポイントサーバ）の設定、及び、ＶｏＩＰを備える受信機器との通信である。
【０２０２】
専用のモバイルフォンを開発することにより、メニュー、オプションを含むインターフェース、ラジオボックス、チェックボックス及び押しボタンへの完全なアクセスと制御が得られる。この実施形態においては、モバイルフォンの回路設計は、チップセットなどのハードウェアを含む。
【０２０３】
別の一実施形態においては、間接通信システムは、無線媒体を介してなどしてモバイルフォンにソフトウェアをダウンロードして実現することができる。そのようなモバイルフォンは、プログラム可能なモバイルフォンであり、サードパーティによって制御できる。ダウンロード可能なソフトウェアは、メニュー、インターフェース、ラジオボックス、チェックボックス及び選択押しボタンを含んでいてもよい。モバイルフォンは、ＢＳと通信するためにＢＳに接続する無線媒体と互換性のあるＲＦを生成したり、そのようなＲＦに切り替えたりすることができるようになっていてもよい。モバイルフォンのためのソフトウェアは、新しい機能にアップグレードしてもよく、付加的機能が追加されてもよい。一実施形態においては、間接通信システムは、純粋にソフトウェアによって実現することができる。一実施形態においては、無線ダウンロードに加えて、モバイルフォンへのダウンロード機構は、ＰＣを介してのＣＤ、直接又は間接メモリ及びスティック、インターネットのウェブサイトなどでとすることができる。
【０２０４】
別の一実施形態においては、アドオン機器が、既存のモバイルフォン、すなわち双方向又はトランシーバ型の電話機に間接通信システムを実現するために追加されてもよい。広い範囲のモバイルフォンの利用者に行き渡るように、モバイルフォンの下部に追加するアドオン（又はプラグイン）ハードウェアが提供されてもよい。この実現のために、アドオン機器は、既存のモバイルフォンを「双方向トランシーバ」型にしてもよい。つまり、アドオン機器は、モバイルフォンにて音声を取得し、無線媒体を介してＢＳへ信号を送信する。一実施形態においては、アドオン機器とＢＳとの通信は、トランシーバに類似している。ハードウェアアドオン機器に加えて、アドオン機器内部のソフトウェアも、ダウンロード可能なソフトウェアであり、アップグレードが簡単に行えるようにすることができる。
【０２０５】
別の一実施形態においては、再び図１を参照すると、発信機器１００及び受信機器１０２が異なるネットワーク上に存在することができる。一般に、ボイスオーバＩＰは、インターネット上で動作する特定の「サーバ」及び「クライアント」として知られる、接続のためにコンピュータ又は他の機器にインストールされるソフトウェア（ハードウェア）の特定の部分の実現であると考えることができる。ある例では、ボイスオーバＩＰネットワークが別のボイスオーバＩＰネットワークへ直接呼び出すことができる。これは、例えば、呼び出し元となるサーバ及びあて先のサーバの実現について、プロトコル、標準及び所有問題などの非互換性がある場合であってもよい。
【０２０６】
これは、クライアント間の実現について、異なるプロトコル又は標準の違いに加えて異なるユーザ名及びパスワードによるかもしれない非互換性がある場合であってもよい。発信機器１００は、例えば、ＧＳＭフォンであり、一方、受信機器１０２は、ＣＤＭＡフォンとすることができる。この場合、発信機器１００は、受信機器１０２が動作しているネットワークの種類が何であるかを知る必要がない。
【０２０７】
発信機器１００は、むしろ、呼び出しを開始するとき受信機器１０２へ短い着信トーンに加えて発信機器１００のネットワークについての情報を送る。受信機器１０２は、発信機器１００のネットワークについての詳細を受信した後、発信機器１００のネットワークに適したクライアントソフトウェアをアクティベートし、インターネット及び特定のミーティングポイントサーバに接続することができる。
【０２０８】
あるボイスオーバＩＰネットワークについて、発信機器１００には、ただ一つのクライアントソフトウェアをインストールすればよい。クライアントソフトウェアは、発信機器１００にダウンロードすることができ、必要なときだけアクティベートされる。この構成により、ボイスオーバＩＰネットワークが常にアクティブ、オンライン又は通信中で或る必要がないので、通信時間を減少することができる。
【０２０９】
上述の説明において、本発明の原理、実施形態及び動作の態様を述べた。しかし、本発明においては、上述の特定の実施形態は例示であり制限的なものではないので、それらに限定されて構成されるべきではない。当業者は、本発明の範囲から離れることなく種々の変形をそれらの実施形態に実現できることに注意すべきである。
【０２１０】
本発明の好ましい実施形態は、上述したが、単なる例示の方法により示したのであり、限定的ではないと理解されるべきである。したがって、本発明の外延、範囲は上述の例示の実施形態に限定されるべきではない。
【０２１１】
明らかに、本発明の多数の変更及び変形は、上記教示に基づいて可能である。したがって、本発明は、ここに具体的に記述されたのとは異なって実施されてもよい。
【０２１２】
本発明の多くの特徴及び利点は、詳細な説明から明らかであって、特許請求の範囲を添付する意図は、その真の要旨と範囲に含まれる実施形態のすべてのそのような特徴及び利点を対象とすることである。さらに、多くの変更と修正は当業者に直ちに理解されるので、進歩性のある実施例を、記載された構成と動作に限定することは望まれないのであり、したがって、全ての適切な変更とその均等物は、それらの範囲の中にあるであろう。
【図１】
2010502076.tif 000003
【図２】
2010502076.tif 000004
【図３Ａ】
2010502076.tif 000005
【図３Ｂ】
2010502076.tif 000006
【図４】
2010502076.tif 000007
【図５】
2010502076.tif 000008
【図６】
2010502076.tif 000009
【図７】
2010502076.tif 000010
【図８】
2010502076.tif 000011
【図９】
2010502076.tif 000012
【図１０】
2010502076.tif 000013
【図１１】
2010502076.tif 000014
【図１２】
2010502076.tif 000015
【図１３】
2010502076.tif 000016
【図１４】
2010502076.tif 000017
【図１５】
2010502076.tif 000018
【図１６】
2010502076.tif 000019
【図１７】
2010502076.tif 000020
【図１８】
2010502076.tif 000021
【図１９】
2010502076.tif 000022
【図２０】
2010502076.tif 000023
【図２１】
2010502076.tif 000024
【図２２】
2010502076.tif 000025
【図２３】
2010502076.tif 000026
【図２４】
2010502076.tif 000027
【図２５】
2010502076.tif 000028
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
発信機器と、番号を有する受信機器と、
前記発信機器から前記受信機器の番号へ伝わる信号と、
前記受信機器の番号により特定されるミーティングポイントチャネルとを備え、
前記受信機器は、前記発信機器からの信号に応じて、前記受信機器の番号により特定されるミーティングポイントチャネルを呼び出し、
前記発信機器は、前記発信機器から前記受信機器への信号の送信を終了し、
前記発信機器は、前記受信機器の番号により特定されるミーティングポイントチャネルを呼び出し、
前記ミーティングポイントチャネルにて前記発信機器から受信されるパケットは、前記ミーティングポイントチャネルにて前記受信機器へ転送される間接通信システム。
【請求項２】
前記受信機器は、ハンドセット、電話機、ゲートウェイ、ベースステーション、サーバ、携帯電話の基地局、トランシーバ又はコンピュータである請求項１に記載の間接通信システム。
【請求項３】
前記発信機器は、ハンドセット、電話機、ゲートウェイ、ベースステーション、サーバ、携帯電話の基地局、トランシーバ又はコンピュータである請求項１又は２に記載の間接通信システム。
【請求項４】
前記ミーティングポイントチャネルは、サーバ、コンピュータ、ベースステーション、ハンドセット、ボイスオーバインターネットプロトコルハンドセット、ボイスオーバインターネットプロトコル制御器、交換機又は専用のブラックボックス及び周辺機器の中に生成される請求項１から３のいずれかに記載の間接通信システム。
【請求項５】
前記ミーティングポイントチャネルは、ボイスオーバインターネットプロトコルの制御及び管理マトリックスを備え、多数の通信を同時に処理する請求項１から４のいずれかに記載の間接通信システム。
【請求項６】
前記信号は、マルチトーンの着信トーンである請求項１から５のいずれかに記載の間接通信システム。
【請求項７】
前記ミーティングポイントチャネルのアドレスは、受信機器の識別番号及びミーティングポイント生成器のインターネットプロトコルアドレス又はドメインネームシステム名である請求項１から６のいずれかに記載の間接通信システム。
【請求項８】
前記受信機器が通信を受け入れるならば、前記受信機器はミーティングポイントチャネルに接続をする請求項１から７のいずれかに記載の間接通信システム。
【請求項９】
前記受信機器が通信を拒否するならば、前記受信機器は、拒否メッセージを前記ミーティングポイントチャネルに送信し、前記ミーティングポイントチャネルは、前記拒否メッセージを前記発信機器へ中継する請求項１から８のいずれかに記載の間接通信システム。
【請求項１０】
前記受信機器が別のミーティングポイントチャネルを提案するならば、前記受信機器は、その別のミーティングポイントチャネルに接続をする請求項１から９のいずれかに記載の間接通信システム。
【請求項１１】
受信されるパケットは、ボイスオーバインターネットプロトコル、インターネットプロトコル及びユーザデータグラムプロトコルからなる群から選択される１つのフォーマットでフォーマットされている請求項１から１０のいずれかに記載の間接通信システム。
【請求項１２】
前記転送は、それぞれのパケットヘッダのあて先アドレスを前記ミーティングポイントのアドレスから前記受信機器のアドレスに変えることを有する請求項１から１１のいずれかに記載の間接通信システム。
【請求項１３】
通信は、音声、インターネットテレビ、オーディオ、映画、音声会議、静止画又は動画を含む請求項１から１２のいずれかに記載の間接通信システム。
【請求項１４】
さらに、複数の受信機器を備え、
前記発信機器から受信されるパケットのそれぞれは、ミーティングポイントにて複数回コピーされ、
コピーされたパケットそれぞれは、前記複数の受信機器の１つへ転送される請求項１から１３のいずれかに記載の間接通信システム。
【請求項１５】
前記発信機器は、第１のネットワークにて動作し、
前記受信機器は、前記第１のネットワークと互換性のない第２のネットワークにて動作し、
前記通知には、前記第１のネットワークについての情報が含まれる請求項１から１４に記載の間接通信システム。
【請求項１６】
発信機器から受信機器へ信号を送信し、
前記受信機器にて前記受信機器の番号により特定されるミーティングポイントチャネルを呼び出すことにより前記発信機器からの前記信号に応答し,
前記発信機器から前記受信機器への前記信号の送信を終了し、
前記発信機器にて前記受信機器の番号により特定されるミーティングポイントチャネルを呼び出し、
前記発信機器からのパケットを前記ミーティングポイントチャネルにて受信し、
前記ミーティングポイントにて受信されるパケットを前記受信機器へ転送する間接通信方法。
【請求項１７】
さらに、
前記発信機器から受信されるパケットそれぞれを前記ミーティングポイントチャネルにて複数回コピーし、
前記コピーされたパケットのそれぞれを複数の受信機器の一つへ転送する請求項１６に記載の間接通信方法。
【請求項１８】
前記受信機器は、ハンドセット、電話機、ゲートウェイ、ベースステーション、サーバ、携帯電話の基地局、トランシーバ又はコンピュータである請求項１６又は１７に記載の間接通信方法。
【請求項１９】
前記発信機器は、ハンドセット、電話機、ゲートウェイ、ベースステーション、サーバ、携帯電話の基地局、トランシーバ又はコンピュータである請求項１６から１８のいずれかに記載の間接通信方法。
【請求項２０】
前記ミーティングポイントチャネルは、サーバ、コンピュータ、ベースステーション、ハンドセット、ボイスオーバインターネットプロトコルハンドセット、ボイスオーバインターネットプロトコル制御器、交換機又は専用のブラックボックス及び周辺機器の中に生成される請求項１６から１９のいずれかに記載の間接通信方法。
【請求項２１】
前記ミーティングポイントチャネルは、ボイスオーバインターネットプロトコルの制御及び管理マトリックスを備え、多数の呼を同時に処理する請求項１６から２０のいずれかに記載の間接通信方法。
【請求項２２】
前記信号は、マルチトーンの着信トーンである請求項１６から２１のいずれかに記載の間接通信方法。
【請求項２３】
前記ミーティングポイントチャネルのアドレスは、受信機器の識別番号及びミーティングポイント生成器のインターネットプロトコルアドレス又はドメインネームシステム名である請求項１６から２２のいずれかに記載の間接通信方法。
【請求項２４】
前記受信機器が通信を受け入れるならば、前記受信機器はミーティングポイントチャネルに接続をする請求項１６から２３のいずれかに記載の間接通信方法。
【請求項２５】
前記受信機器が通信を拒否するならば、前記受信機器は、拒否メッセージを前記ミーティングポイントチャネルに送信し、前記ミーティングポイントチャネルは、前記拒否メッセージを前記発信機器へ中継する請求項１６から２４のいずれかに記載の間接通信方法。
【請求項２６】
前記受信機器が通信を別のミーティングポイントチャネルを提案するならば、前記受信機器は、その別のミーティングポイントチャネルに接続をする請求項１６から２５のいずれかに記載の間接通信方法。
【請求項２７】
受信されるパケットは、ボイスオーバインターネットプロトコル、インターネットプロトコル及びユーザデータグラムプロトコルからなる群から選択される１つのフォーマットでフォーマットされている請求項１６から２６のいずれかに記載の間接通信方法。
【請求項２８】
前記転送は、それぞれのパケットヘッダのあて先アドレスを前記ミーティングポイントのアドレスから前記受信機器のアドレスに変えることを有する請求項１６から２７のいずれかに記載の間接通信方法。
【請求項２９】
さらに、
前記発信機器のネットワークについて前記受信機器へ通知を行い、
前記受信機器にて前記発信機器のネットワークに関連付けられているソフトウェアをアクティベートする請求項１６から２８のいずれかに記載の間接通信方法。
【請求項３０】
受信機器へ、前記受信機器に通信が予見されることを通知する通知信号を送信しその送信を終了する送信器と、
前記受信機器へ前記通知信号を送信した結果としてのサーバからの通信信号を受信可能な接続器を備える電話機器。
【国際調査報告】
2010502076.tif 000029
2010502076.tif 000030